(57)【特許請求の範囲】
【請求項１】
コンポジット信号を処理するための方法であって、前記コンポジット信号が、第1のチャネルと、前記第1のチャネルと時間的に重複する第2のチャネルとを少なくとも含み、
前記第1のチャネルの第1の部分を復調するステップと、
前記復調された第1の部分に基づいて前記第1のチャネルを復号し、復号されたシンボルを生成するステップと、
前記復号が成功した場合、前記第1の部分の後に送信される前記第1のチャネルの第2の部分の予測される受信信号を生成するステップであって、前記復号されたシンボルを再符号化するステップを含むステップと、
前記予測される受信信号を前記コンポジット信号から相殺し、処理されたコンポジット信号を生成するステップと、
前記処理されたコンポジット信号に基づいて、前記第2のチャネルを復号するステップとを含む、方法。
【請求項２】
第1および第2のユーザーが接続端末により構成され、前記コンポジット信号がcdma2000規格にしたがって基地局で受信されている、請求項1に記載の方法。
【請求項３】
前記第1のチャネルが第1のユーザーにより送信されたフレームを含み、前記第2のチャネルが第2のユーザーにより送信されたフレームを含み、前記第1のチャネルの前記第1の部分が、前記第1のユーザーのフレームの初めの部分を含み、前記第1のチャネルの前記第2の部分が、前記初めの部分に続く、前記第1のユーザーのフレームの第2の部分を含み、前記第2のチャネルを復号する前記ステップが、前記第2のユーザーのフレームを復号するステップを含む、請求項1に記載の方法。
【請求項４】
各フレームが、連続して送信される16個の出力制御グループ(PCG)を含み、前記第1のチャネルの前記第1の部分が、16個よりも少ないPCGを含み、前記第1のチャネルの前記第2の部分が、前記第1の部分に含まれない、前記第1のユーザーのフレームの前記PCGを含む、請求項2に記載の方法。
【請求項５】
前記復号するステップが、所定の数のPCGが復調される度に一度、前記第1のユーザーのフレームの復号を試みるステップを含む、請求項4に記載の方法。
【請求項６】
前記復号するステップが、
復調された前記第1のチャネルの前記部分に基づいて、前記第1のチャネルの復号を周期的に試みるステップと、
それぞれの試みの後に、フレーム品質インジケータを確認して、復号が成功したことを判定するステップと
を含む、請求項1に記載の方法。
【請求項７】
前記コンポジット信号のサンプルをサンプルメモリに保存するステップと、
前記サンプルメモリに保存された前記サンプルから、前記第1のチャネルに対応するシンボルを復調するステップと、
復調されたシンボルバッファ内に前記復調されたシンボルを保存するステップと
をさらに含み、前記第1のチャネルを復号する前記ステップが、前記第1のチャネルに対応する前記保存された復調されたシンボルを復号することを試みるステップを含む、請求項1に記載の方法。
【請求項８】
前記予測される受信信号を前記コンポジット信号から相殺する前記ステップが、前記サンプルメモリに保存された前記コンポジット信号の前記サンプルから、前記予測される受信信号を差し引き、前記処理されたコンポジット信号を生成するステップを含み、
前記処理されたコンポジット信号を前記サンプルメモリに戻して保存するステップをさらに含む、
請求項７に記載の方法。
【請求項９】
前記サンプルメモリに保存された前記サンプルから、前記第2のチャネルに対応するシンボルを復調するステップをさらに含み、
前記第2のチャネルを復号する前記ステップが、前記第2のチャネルに対応する前記保存された復調されたシンボルの復号を試みるステップを含む、
請求項8に記載の方法。
【請求項１０】
前記予測される受信信号を生成する前記ステップが、
前記復号されたシンボルを符号化するステップと、
前記符号化されたシンボルをインターリーブするステップと、
前記インターリーブされたシンボルを変調するステップと、
前記変調されたシンボルをフィルタリングするステップと
を含み、前記フィルタリングするステップが、前記第1のチャネルのチャネル応答の推定に対応する利得を適用するステップを含む、請求項1に記載の方法。
【請求項１１】
前記第1のチャネルの復号に成功した後、前記第1のチャネルの出力制御設定値を初期設定値から下げるステップと、
前記第1のチャネルの前記第2の部分の後で、前記第1のチャネルの前記出力制御設定値を前記初期設定値に戻すステップと
をさらに含む、請求項1に記載の方法。
【請求項１２】
前記第1のチャネルが、第1のデバイスにより送信され、前記出力制御設定値を戻す前記ステップが、前記第1のデバイスの最大のスルーレート以下の比率で前記出力制御設定値を上げるステップを含む、請求項11に記載の方法。
【請求項１３】
前記第1のデバイスが接続端末である、請求項12に記載の方法。
【請求項１４】
前記第1のチャネルのアウターループ出力制御(OLPC)目標レベルをコントローラから受信するステップをさらに含み、
前記初期設定値が、前記OLPC目標レベルとして決定され、前記出力制御設定値を下げる前記ステップが、前記OLPC目標レベルに対して負の出力制御オフセットを適用するステップを含む、
請求項11に記載の方法。
【請求項１５】
前記第2のチャネルのフレームを復調するステップをさらに含み、
前記第2のチャネルを復号する前記ステップが、前記第2のチャネルの前記フレームを復号するステップを含み、
前記第1のチャネルを復号する前記ステップが、前記第2のチャネルのフレーム全体を復調した後で、前記第1のチャネルを復号するステップを含む、
請求項1に記載の方法。
【請求項１６】
コンポジット信号を処理するための方法であって、前記コンポジット信号が、第1のチャネルと、前記第1のチャネルと時間的に重複する第2のチャネルとを少なくとも含み、
前記第2のチャネルのフレームを復調するステップと、
前記第2のチャネルの前記フレームの前記復調の後で、前記第1のチャネルを復号し、復号されたシンボルを生成するステップと、
前記復号が成功した場合、前記復号されたシンボルに基づいて、前記第1のチャネルの予測される受信信号を生成するステップと、
前記予測される受信信号を前記コンポジット信号から相殺し、処理されたコンポジット信号を生成するステップと、
前記処理されたコンポジット信号に基づいて、前記第2のチャネルの前記フレームを復号するステップとを含み、
名目上のフレーム長を有する前記第2のチャネルの前記フレームを復調する前記ステップは、前記名目上のフレーム長の終点まで復調するステップをさらに含み、
前記第2のチャネルの前記フレームを復号する前記ステップは、前記第2のチャネルの実質的なフレーム長全体で、前記第2のチャネルの前記フレームの復号を試みるステップをさらに含み、
前記実質的なフレーム長は前記名目上のフレーム長よりも長く、前記実質的なフレーム長の終点が前記名目上のフレーム長の前記終点よりも後である、方法。
【請求項１７】
各フレームが、16個の出力制御グループ(PCG)を含み、前記実質的なフレーム長全体で、前記第2のチャネルの前記フレームの復号を試みるステップが、前記実質的なフレーム長の前記終点の終わりまで、所定の回数のPCGに一度、前記フレームの復号を試みるステップを含む、請求項16に記載の方法。
【請求項１８】
ソフトハンドオフ時のユーザー向けの出力制御命令を処理するための方法であって、
ソフトハンドオフ時に前記ユーザーと通信し、かつ前記ユーザーから受信した信号を早期復号している複数の基地局の各々から出力制御命令を受信するステップであって、前記出力制御命令の各々が、前記ユーザーに、フレームの単一の出力制御グループ(PCG)の送信出力を調整するように指示する、ステップと、  受信された前記出力制御命令のいずれかによって、前記調整を行うように指示された場合、前記PCGの前記送信出力を下げて調整するステップと
を含む、方法。
【請求項１９】
コンポジット信号を処理するための装置であって、前記コンポジット信号が、第1のチャネルと、前記第1のチャネルと少なくとも一部重複する第2のチャネルとを少なくとも含み、
前記第1のチャネルの第1の部分を復調するための復調器と、
前記復調された第1の部分に基づいて前記第1のチャネルを復号し、復号されたシンボルを生成するための復号器と、
第1のチャネルの復号が成功した場合に、前記復号されたシンボルを再符号化することによって、前記第1の部分の後に送信される前記第1のチャネルの第2の部分の予測される受信信号を生成するための干渉再構築ブロックと、
前記予測される受信信号を前記コンポジット信号から相殺し、処理されたコンポジット信号を生成するための相殺ブロックと
を含み、前記復号器が、前記処理されたコンポジット信号に基づいて、前記第2のチャネルを復号するようにさらに構成される、装置。
【請求項２０】
第1および第2のユーザーが接続端末により構成され、前記装置が、cdma2000規格にしたがって信号を受信するための基地局を含む、請求項19に記載の装置。
【請求項２１】
前記第1のチャネルが第1のユーザーにより送信されたフレームを含み、前記第2のチャネルが第2のユーザーにより送信されたフレームを含み、前記第1のチャネルの前記第1の部分が、前記第1のユーザーのフレームの初めの部分を含み、前記第1のチャネルの前記第2の部分が、前記初めの部分に続く、前記第1のユーザーのフレームの第2の部分を含み、前記復号器が、前記第2のユーザーのフレームを復号することによって前記第2のチャネルを復号するように構成される、請求項19に記載の装置。
【請求項２２】
各フレームが、連続して送信される16個の出力制御グループ(PCG)を含み、前記第1のチャネルの前記第1の部分が、16個よりも少ないPCGを含み、前記第1のチャネルの前記第2の部分が、前記第1の部分に含まれない、前記第1のユーザーのフレームの前記PCGを含む、請求項20に記載の装置。
【請求項２３】
前記復号器が、前記第1のユーザーのフレームを周期的な間隔で復号することを試みるように構成される、請求項21に記載の装置。
【請求項２４】
前記復号器が、復調された前記第1のチャネルの前記部分に基づいて、前記第1のチャネルの復号を周期的に試み、それぞれの試みの後に、フレーム品質インジケータを確認して、復号が成功したことを判定するように構成される、請求項19に記載の装置。
【請求項２５】
前記コンポジット信号のサンプルを保存するサンプルメモリと、
前記サンプルメモリに保存された前記サンプルから、前記第1のチャネルに対応するシンボルを復調するための復調器と、
前記復調されたシンボルを保存する復調されたシンボルのバッファと
をさらに含み、前記復号器が、前記第1のチャネルに対応する前記保存された復調されたシンボルを復号することを試みるように構成される、請求項19に記載の装置。
【請求項２６】
前記相殺ブロックが、前記サンプルメモリに保存された前記コンポジット信号の前記サンプルから、前記予測される受信信号を差し引き、前記処理されたコンポジット信号を生成するように構成され、
前記処理されたコンポジット信号を前記サンプルメモリに戻して保存するようにさらに構成される、
請求項25に記載の装置。
【請求項２７】
前記復調器が、前記サンプルメモリに保存された前記サンプルから、前記第2のチャネルに対応するシンボルを復調するようにさらに構成され、前記復号器が、前記第2のチャネルに対応する前記保存された復調されたシンボルの復号を試みるようにさらに構成される、請求項26に記載の装置。
【請求項２８】
前記干渉再構築ブロックが、
前記復号されたシンボルを符号化するための符号器と、
前記符号化されたシンボルをインターリーブするためのインターリーバと、
前記インターリーブされたシンボルを変調するための変調器と、
前記変調されたシンボルをフィルタリングし、前記第1のチャネルのチャネル応答の推定に対応する利得を適用するためのフィルタと
を含む、請求項19に記載の装置。
【請求項２９】
前記第1のチャネルの復号に成功した後、前記第1のチャネルの出力制御設定値を初期設定値から下げ、前記第1のチャネルの前記第2の部分の後で、前記第1のチャネルの前記出力制御設定値を前記初期設定値に戻すように構成される、出力制御設定値計算モジュールと、
前記出力制御設定値に基づいて、第1のユーザー向けの出力制御命令を生成するための、出力制御命令生成器と
をさらに含む、請求項19に記載の装置。
【請求項３０】
前記第1のチャネルが、第1のデバイスにより送信され、前記出力制御設定値計算モジュールが、前記第1のデバイスの最大のスルーレート以下の比率で前記出力制御設定値を上げることにより前記出力制御設定値を戻すように構成される、請求項29に記載の装置。
【請求項３１】
前記第1のデバイスが接続端末である、請求項30に記載の装置。
【請求項３２】
前記出力制御設定値計算モジュールが、前記第1のチャネルのアウターループ出力制御(OLPC)目標レベルをコントローラから受信するようにさらに構成され、前記初期設定値が、前記OLPC目標レベルとして決定され、前記出力制御設定値計算モジュールが、前記OLPC目標レベルに対して負の出力制御オフセットを適用することによって前記出力制御設定値を下げるように構成される、請求項29に記載の装置。
【請求項３３】
前記復号器が、前記復調器が前記第2のチャネルのフレーム全体をさらに復調した後で、前記第1のチャネルを復号するようにさらに構成される、請求項19に記載の装置。
【請求項３４】
コンポジット信号を処理するための装置であって、前記コンポジット信号が、第1のチャネルと、前記第1のチャネルと時間的に重複する第2のチャネルを少なくとも含み、
前記第2のチャネルのフレーム全体を復調するための復調器と、
前記第2のチャネルの前記フレーム全体を復調した後に前記第1のチャネルを復号し、復号されたシンボルを生成するための復号器と、
前記第1のチャネルの復号が成功した場合に、前記復号されたシンボルに基づいて、前記第1のチャネルの予測される受信信号を生成するための干渉再構築ブロックと、
前記予測される受信信号を前記コンポジット信号から相殺し、処理されたコンポジット信号を生成するための相殺ブロックと
を含み、
前記復調器が、名目上のフレーム長を有する前記第2のチャネルの前記フレームを、前記名目上のフレーム長の終点まで復調するようにさらに構成され、
前記復号器が、
前記処理されたコンポジット信号に基づいて、前記第2のチャネルの前記フレームを復号するように、かつ、
前記第2のチャネルの実質的なフレーム長全体で前記第2のチャネルの前記フレームの復号を試みるようにさらに構成され
前記実質的なフレーム長が前記名目上のフレーム長よりも長く、かつ、前記実質的なフレーム長の終点が前記名目上のフレーム長の前記終点よりも後である、装置。
【請求項３５】
各フレームが、16個の出力制御グループ(PCG)を含み、前記復号器が、前記実質的なフレーム長の前記終点の終わりまで、所定の回数のPCGに一度、前記第2のチャネルの前記フレームの復号を試みるようにさらに構成される、請求項34に記載の装置。
【請求項３６】
ソフトハンドオフ時のユーザー向けの出力制御命令を処理するための装置であって、
ソフトハンドオフ時に前記ユーザーと通信し、かつ前記ユーザーから受信した信号を早期復号している複数の基地局の各々から出力制御命令を受信するための受信機であって、前記出力制御命令の各々が、前記ユーザーに、フレームの単一の出力制御グループ(PCG)の送信出力を調整するように指示する、受信機と、
受信された前記出力制御命令のいずれかによって、前記調整を行うように指示された場合、前記PCGの前記送信出力を下げて調整するための出力制御モジュールと
を含む、装置。
【請求項３７】
コンポジット信号を処理するための装置であって、前記コンポジット信号が、第1のチャネルと、前記第1のチャネルと時間的に重複する第2のチャネルを少なくとも含み、
前記第1のチャネルの第1の部分を復調するための手段と、
前記第1のチャネルの第1の部分に基づいて前記第1のチャネルを復号し、復号されたシンボルを生成するための手段と、
前記第1の部分の後に送信される前記第1のチャネルの第2の部分の予測される受信信号を生成するための手段と、
前記予測される受信信号を前記コンポジット信号から相殺し、処理されたコンポジット信号を生成するための手段と、
前記処理されたコンポジット信号に基づいて、前記第2のチャネルを復号するための手段と
を含む、装置。
【請求項３８】
コンポジット信号を処理するための装置であって、前記コンポジット信号が、第1のチャネルと、前記第1のチャネルと時間的に重複する第2のチャネルを少なくとも含み、
前記第2のチャネルのフレームを復調するための手段と、
前記第2のチャネルの前記フレームを受信した後に前記第1のチャネルを復号し、復号されたシンボルを生成するための手段と、
前記復号が成功した場合に、前記復号されたシンボルに基づいて、前記第1のチャネルの予測される受信信号を生成するための手段と、
前記予測される受信信号を前記コンポジット信号から相殺し、処理されたコンポジット信号を生成するための手段と、
前記処理されたコンポジット信号に基づいて、前記第2のチャネルの前記フレームを復号するための手段と
を含み、
名目上のフレーム長を有する前記第2のチャネルの前記フレームを復調する前記手段は、前記名目上のフレーム長の終点まで復調する手段をさらに含み、
前記第2のチャネルの前記フレームを復号する前記手段は、前記第2のチャネルの実質的なフレーム長全体で、前記第2のチャネルの前記フレームの復号を試みる手段をさらに含み、
前記実質的なフレーム長は前記名目上のフレーム長よりも長く、前記実質的なフレーム長の終点が前記名目上のフレーム長の前記終点よりも後である、装置。
【請求項３９】
ソフトハンドオフ時のユーザー向けの出力制御命令を処理するための装置であって、
ソフトハンドオフ時に前記ユーザーと通信し、かつ前記ユーザーから受信した信号を早期復号している複数の基地局の各々のための出力制御命令を受信するための手段であって、前記出力制御命令の各々が、前記ユーザーに、フレームの単一の出力制御グループ(PCG)の送信出力を調整するように指示する、手段と、
受信された前記出力制御命令のいずれかによって、前記調整を行うように指示された場合に、前記PCGの前記送信出力を下げて調整するための手段と
を含む、装置。
【請求項４０】
コンポジット信号を処理するためのコードで、コンピュータにより実行可能なコードを備えたコンピュータプログラムであって、
前記コンポジット信号が、第1のチャネルと、前記第1のチャネルと時間的に重複する第2のチャネルを少なくとも含み、
前記コンピュータプログラムが、
コンピュータに、前記第1のチャネルの第1の部分を復調させるためのコードと、
コンピュータに、前記復調された第1の部分に基づいて前記第1のチャネルを復号させ、復号されたシンボルを生成するためのコードと、
前記復号が成功した場合、コンピュータに、前記第1の部分の後に送信される前記第1のチャネルの第2の部分の予測される受信信号を生成させるためのコードであって、前記生成させることが、前記復号されたシンボルを再符号化させることを含むコードと、
コンピュータに、前記予測される受信信号を前記コンポジット信号から相殺させ、処理されたコンポジット信号を生成するためのコードと、
コンピュータに、前記処理されたコンポジット信号に基づいて、前記第2のチャネルを復号させるためのコードと
を備えたコンピュータプログラム。
【請求項４１】
コンポジット信号を処理するためのコードで、コンピュータにより実行可能なコードを備えたコンピュータプログラムであって、
前記コンポジット信号が、第1のチャネルと、前記第1のチャネルと時間的に重複する第2のチャネルを少なくとも含み、
前記コンピュータプログラムが、
コンピュータに、前記第2のチャネルのフレームを復調させるためのコードと、
コンピュータに、前記第2のチャネルの前記フレームの前記復調の後に前記第1のチャネルを復号させ、復号されたシンボルを生成するためのコードと、
前記復号が成功した場合、前記復号されたシンボルに基づいて、コンピュータに前記第1のチャネルの予測される受信信号を生成させるためのコードと、
コンピュータに、前記予測される受信信号を前記コンポジット信号から相殺させ、処理されたコンポジット信号を生成するためのコードと、
コンピュータに、前記処理されたコンポジット信号に基づいて、前記第2のチャネルの前記フレームを復号させるためのコードとを備え、
名目上のフレーム長を有する前記第2のチャネルの前記フレームを復調する前記コードは、前記名目上のフレーム長の終点まで復調するコードを備え、
前記第2のチャネルの前記フレームを復号する前記コードは、前記第2のチャネルの実質的なフレーム長全体で、前記第2のチャネルの前記フレームの復号を試みるコードをさらに備え、
前記実質的なフレーム長は前記名目上のフレーム長よりも長く、前記実質的なフレーム長の終点が前記名目上のフレーム長の前記終点よりも後であるコンピュータプログラム。
【請求項４２】
ソフトハンドオフ時のユーザー向けの出力制御命令を処理するためのコードで、コンピュータにより実行可能なコードを備えたコンピュータプログラムであって、
コンピュータに、ソフトハンドオフ時に前記ユーザーと通信し、かつ前記ユーザーから受信した信号を早期復号している複数の基地局の各々のための出力制御命令を受信させるためのコードであって、前記出力制御命令の各々が、前記ユーザーに、フレームの単一の出力制御グループ(PCG)の送信出力を調整するように指示する、コードと、
受信された前記出力制御命令のいずれかによって、前記調整を行うように指示された場合、コンピュータに、前記PCGの前記送信出力を下げさせて調整させるためのコードとを備えたコンピュータプログラム。
【発明の詳細な説明】
【技術分野】
【０００１】
本発明は全般にデジタル通信に関し、より具体的には、干渉相殺を用いてワイヤレスデジタル通信システムの容量を向上させるための技術に関する。
【背景技術】
【０００２】
ワイヤレス通信システムは、音声、パケットデータなどのような様々な種類の通信を提供するために、広く配備されている。これらのシステムは、符号分割多重接続(CDMA)、時分割多重接続(TDMA)、周波数分割多重接続(FDMA)、または別の複数の接続技術に基づきうる。このようなシステムは、第3世代パートナーシッププロジェクト2(3gpp2、または「cdma2000」)、第3世代パートナーシップ(3gpp、または「W-CDMA」)、またはLong Term Evolution(「LTE」)のような規格に準拠しうる。そのような通信システムの設計では、利用可能なリソースの下で、容量を、またはシステムが信頼性をもってサポートできるユーザーの数を、最大化することが望ましい。
【０００３】
ワイヤレス通信システムのある態様では、2つのユニットの間の伝送にある程度の冗長性をもたせて、受信された信号におけるエラーを防ぐことが多い。例えば、cdma2000ワイヤレス通信システムにおける接続端末(AT)から基地局(BS)までの逆方向リンク(RL)伝送では、分数率(fractional-rate)のシンボル符号化および繰り返し符号のような冗長性が利用されうる。cdma2000システムでは、符号化されたシンボルは、出力制御グループ(PCG)として知られるサブセグメントにグループ化されて無線で送信され、一定の数のPCGがフレームを定義する。
【発明の概要】
【発明が解決しようとする課題】
【０００４】
cdma2000で用いられたような信号の冗長性は、ノイズの存在下で送信された信号を正確に回復することを可能にしうるが、そのような冗長性により、ワイヤレス通信システムの他のユーザー、例えば、他の逆方向リンクでBSと通信している他のATに対して、不必要な干渉を引き起こすことがある。望ましくないことに、この干渉はシステムの容量を低下させうる。
【０００５】
冗長性をもたせたデジタル通信システムの効率を改善するための技術を提供することが、望ましいであろう。
【０００６】
ワイヤレス通信システムのさらなる態様においては、2つのユニットの間の伝送は、既知のデータの内容を有するトラフィック信号およびパイロット信号を含みうる。パイロット信号は、トラフィック信号からデータを回復する際に、受信機、例えばBSを支援することができ、望ましくないことに、1つのATから送られたパイロット信号は、他のATによってBSに送られたトラフィック信号およびパイロット信号に対して、干渉を引き起こしうる。パイロット信号による干渉が存在する中で、トラフィック信号の復調および復号の正確さを向上させるための技術を提供することが、望ましいであろう。
【課題を解決するための手段】
【０００７】
本開示のある態様は、コンポジット信号を処理するための方法を提供し、コンポジット信号は、第1のチャネルと、第1のチャネルと時間的に重複する第2のチャネルとを少なくとも含み、上記の方法は、第1のチャネルの第1の部分を復調するステップと、復調された第1の部分に基づいて第1のチャネルを復号し、復号されたシンボルを生成するステップと、復号が成功した場合、第1の部分の後に送信される第1のチャネルの第2の部分の予測される受信信号を生成するステップであって、復号されたシンボルを再符号化するステップを含むステップと、予測される受信信号をコンポジット信号から相殺し、処理されたコンポジット信号を生成するステップと、処理されたコンポジット信号に基づいて、第2のチャネルを復号するステップとを含む。
【０００８】
本開示の別の態様は、コンポジット信号を処理するための方法を提供し、コンポジット信号は、第1のチャネルと、第1のチャネルと時間的に重複する第2のチャネルを少なくとも含み、上記の方法は、第2のチャネルのフレームを復調するステップと、第2のチャネルのフレームを復調した後に第1のチャネルを復号し、復号されたシンボルを生成するステップと、復号が成功した場合、復号されたシンボルに基づいて、第1のチャネルの予測される受信信号を生成するステップと、予測される受信信号をコンポジット信号から相殺し、処理されたコンポジット信号を生成するステップと、処理されたコンポジット信号に基づいて、第2のチャネルのフレームを復号するステップとを含む。
【０００９】
本開示のさらに別の態様は、ソフトハンドオフ時のユーザー向けの出力制御命令を処理するための方法を提供し、その方法は、ソフトハンドオフ時にユーザーと通信している複数の基地局の各々から出力制御命令を受信するステップであって、出力制御命令の各々が、ユーザーに、フレームの単一の出力制御グループ(PCG)の送信出力を調整するように指示する、ステップと、受信された出力制御命令のいずれかによって、上記の調整を行うように指示された場合、PCGの送信出力を下げて調整するステップとを含む。
【００１０】
本開示のさらに別の態様は、コンポジット信号を処理するための装置を提供し、コンポジット信号は、第1のチャネルと、第1のチャネルと時間的に重複する第2のチャネルを少なくとも含み、上記の装置は、第1のチャネルの第1の部分を復調するための復調器と、復調された第1の部分に基づいて第1のチャネルを復号し、復号されたシンボルを生成するための復号器と、第1のチャネルの復号が成功した場合に、復号されたシンボルを再符号化することによって、第1の部分の後に送信される第1のチャネルの第2の部分の予測される受信信号を生成するための干渉再構築ブロックと、予測される受信信号をコンポジット信号から相殺し、処理されたコンポジット信号を生成するための相殺ブロックとを含み、上記の復号器は、処理されたコンポジット信号に基づいて、第2のチャネルを復号するようにさらに構成される。
【００１１】
本開示のさらに別の態様は、コンポジット信号を処理するための装置を提供し、コンポジット信号は、第1のチャネルと、第1のチャネルと時間的に重複する第2のチャネルを少なくとも含み、上記の装置は、第2のチャネルのフレーム全体を復調するための復調器と、第2のチャネルのフレーム全体を復調した後に第1のチャネルを復号し、復号されたシンボルを生成するための復号器と、第1のチャネルの復号が成功した場合に、復号されたシンボルに基づいて、第1のチャネルの予測される受信信号を生成するための干渉再構築ブロックと、予測される受信信号をコンポジット信号から相殺し、処理されたコンポジット信号を生成するための相殺ブロックとを含み、上記の復号器は、処理されたコンポジット信号に基づいて、第2のチャネルのフレームを復号するようにさらに構成される。
【００１２】
本開示のさらに別の態様は、ソフトハンドオフ時のユーザー向けの出力制御命令を処理するための装置を提供し、その装置は、ソフトハンドオフ時にユーザーと通信している複数の基地局の各々から出力制御命令を受信するための受信機であって、出力制御命令の各々が、ユーザーに、フレームの単一の出力制御グループ(PCG)の送信出力を調整するように指示する、受信機と、受信された出力制御命令のいずれかによって、上記の調整を行うように指示された場合に、PCGの送信出力を下げて調整するための、出力制御モジュールとを含む。
【００１３】
本開示のさらに別の態様は、コンポジット信号を処理するための装置を提供し、コンポジット信号は、第1のチャネルと、第1のチャネルと時間的に重複する第2のチャネルを少なくとも含み、上記の装置は、第1のチャネルの第1の部分を復調するための手段と、第1のチャネルの第1の部分に基づいて第1のチャネルを復号し、復号されたシンボルを生成するための手段と、第1の部分の後に送信される第1のチャネルの第2の部分の予測される受信信号を生成するための手段と、予測される受信信号をコンポジット信号から相殺し、処理されたコンポジット信号を生成するための手段と、処理されたコンポジット信号に基づいて、第2のチャネルを復号するための手段とを含む。
【００１４】
本開示のさらに別の態様は、コンポジット信号を処理するための装置を提供し、コンポジット信号は、第1のチャネルと、第1のチャネルと時間的に重複する第2のチャネルを少なくとも含み、上記の装置は、第2のチャネルのフレームを復調するための手段と、第2のチャネルのフレームを受信した後に第1のチャネルを復号し、復号されたシンボルを生成するための手段と、復号が成功した場合に、復号されたシンボルに基づいて、第1のチャネルの予測される受信信号を生成するための手段と、予測される受信信号をコンポジット信号から相殺し、処理されたコンポジット信号を生成するための手段と、処理されたコンポジット信号に基づいて、第2のチャネルのフレームを復号するための手段とを含む。
【００１５】
本開示のさらに別の態様は、ソフトハンドオフ時のユーザー向けの出力制御命令を処理するための装置を提供し、その装置は、ソフトハンドオフ時にユーザーと通信している複数の基地局の各々から出力制御命令を受信するための手段であって、出力制御命令の各々が、ユーザーに、フレームの単一の出力制御グループ(PCG)の送信出力を調整するように指示する、手段と、受信された出力制御命令のいずれかによって、上記の調整を行うように指示された場合に、PCGの送信出力を下げて調整するための手段とを含む。
【００１６】
本開示のさらに別の態様は、コンポジット信号を処理するためのコンピュータプログラム製品を提供し、コンポジット信号は、第1のチャネルと、第1のチャネルと時間的に重複する第2のチャネルを少なくとも含み、上記の製品は、コンピュータに、第1のチャネルの第1の部分を復調させるためのコードと、コンピュータに、復調された第1の部分に基づいて第1のチャネルを復号させ、復号されたシンボルを生成するためのコードと、復号が成功した場合、コンピュータに、第1の部分の後に送信される第1のチャネルの第2の部分の予測される受信信号を生成させるためのコードであって、生成させることが、復号されたシンボルを再符号化させることを含むコードと、コンピュータに、予測される受信信号をコンポジット信号から相殺させ、処理されたコンポジット信号を生成するためのコードと、コンピュータに、処理されたコンポジット信号に基づいて、第2のチャネルを復号させるためのコードとを含む、コンピュータ可読媒体を含む。
【００１７】
本開示のさらに別の態様は、コンポジット信号を処理するためのコンピュータプログラム製品を提供し、コンポジット信号は、第1のチャネルと、第1のチャネルと時間的に重複する第2のチャネルを少なくとも含み、上記の製品は、コンピュータに、第2のチャネルのフレームを復調させるためのコードと、コンピュータに、第2のチャネルのフレームの復調の後に第1のチャネルを復号させ、復号されたシンボルを生成するためのコードと、復号が成功した場合、復号されたシンボルに基づいて、コンピュータに第1のチャネルの予測される受信信号を生成させるためのコードと、コンピュータに、予測される受信信号をコンポジット信号から相殺させ、処理されたコンポジット信号を生成するためのコードと、コンピュータに、処理されたコンポジット信号に基づいて、第2のチャネルのフレームを復号させるためのコードとを含む、コンピュータ可読媒体を含む。
【００１８】
本開示のさらに別の態様は、ソフトハンドオフ時のユーザー向けの出力制御命令を処理するためのコンピュータプログラム製品を提供し、その製品は、コンピュータに、ソフトハンドオフ時にユーザーと通信している複数の基地局の各々から出力制御命令を受信させるためのコードであって、出力制御命令の各々が、ユーザーに、フレームの単一の出力制御グループ(PCG)の送信出力を調整するように指示する、コードと、受信された出力制御命令のいずれかによって、上記の調整を行うように指示された場合、コンピュータに、PCGの送信出力を下げて調整させるためのコードとを含む、コンピュータ可読媒体を含む。
【図面の簡単な説明】
【００１９】
【図１】従来技術のワイヤレス通信システムを示す図である。
【図２】例えば図1の接続端末において実装されうる、従来技術の送信機の構造および/または処理の例を示す図である。
【図２Ａ】図2に示される操作ブロックにより処理されるデータの状態を示す図である。
【図３】CDMA通信システムの基地局に複数のユーザーにより送信される、例示的なチャネルを示す図である。
【図４】ユーザーにより送信された信号を受信して処理するように基地局において実装されうる受信機を示す図である。
【図５】コンポジット信号rからユーザーのフレームの干渉を相殺するための方法の、例示的な実施形態を示す図である。
【図６】本開示による、早期復号および干渉相殺(IC)技術の例示的なタイミング図である。
【図７】本開示による、rからの早期復号に成功したフレームの干渉を相殺するための、例示的な方法を示す図である。
【図８】本開示の技術による、出力制御(PC)スキームの例示的な実施形態を示す図である。
【図８Ａ】説明される出力制御技術を実施するための装置の、例示的な実施形態を示す図である。
【図８Ｂ】ソフトハンドオフ時のユーザーのための、説明される出力制御技術を実施するための装置の、例示的な実施形態を示す図である。
【図９】本開示の別の態様による、遅延復号技術の例示的な実施形態を示す図である。
【図１０】本開示による遅延復号を実施するための、基地局向けの方法の例示的な実施形態を示す図である。
【図１１】本開示による、受信機の代替の例示的な実施形態を示す図である。
【図１２】図11の受信機において、初回のPIC、TIC、および残りのPICを実行するための方法を示す図である。
【図１２Ａ】図12で言及される残りのPICブロック1208により実行される動作の、例示的な実施形態を示す。
【図１３】図12で参照される残りのPICのブロックで実行される操作の、例示的な実施形態を示す図である。
【図１４】本開示による方法の例示的な実施形態を示す図である。
【図１５Ａ】本開示の原理が適用されうるUMTSによる、例示的な従来技術の無線ネットワーク運用を示す図である。
【図１５Ｂ】本開示の原理が適用されうるUMTSによる、例示的な従来技術の無線ネットワーク運用を示す図である。
【図１５Ｃ】本開示の原理が適用されうるUMTSによる、例示的な従来技術の無線ネットワーク運用を示す図である。
【図１５Ｄ】本開示の原理が適用されうるUMTSによる、例示的な従来技術の無線ネットワーク運用を示す図である。
【発明を実施するための形態】
【００２０】
添付の図面とともに以下で述べられる詳細な説明は、本発明の例示的な実施形態の説明であることが意図され、本発明が実行されうる唯一の例示的な実施形態を表すことは意図されていない。この説明全体で用いられる用語「例示的な」は、「例、事例、または例示としての役割を果たす」ことを意味し、他の例示的な実施形態よりも好ましい、または有利であるとは必ずしも解釈されるべきではない。詳細な説明は、本発明の例示的な実施形態の完全な理解をもたらすための、具体的な詳細を含む。本発明の例示的な実施形態は、これらの具体的な詳細なしで実行されうることが、当業者には明らかであろう。いくつかの事例では、本発明で提示される例示的な実施形態の新規性を不明瞭にするのを避けるために、よく知られた構造およびデバイスが、ブロック図の形態で示される。
【００２１】
この明細書および特許請求の範囲では、ある要素が他の要素に「接続されている」または「結合されている」ものとして言及される場合、その要素は、他の要素に直接接続もしくは結合されていてもよく、または間に介在する要素が存在していてもよいことが、理解されよう。逆に、ある要素が他の要素に「直接接続されている」または「直接結合されている」ものとして言及される場合、間に介在する要素は存在しない。
【００２２】
図1は、従来技術のワイヤレスセルラー通信システム100を示し、参照番号102Aから102Gはセルを指し、参照番号160Aから160Gは基地局を指し、参照番号106Aから106Gは接続端末(AT)を指す。通信チャネルは、基地局(BS)160から接続端末(AT)106までの伝送のための順方向リンク(FL)(ダウンリンクとしても知られる)と、AT106からBS160までの伝送のための逆方向リンク(RL)(アップリンクとしても知られる)とを含む。AT106は、遠隔局、移動局、加入者局、または単にユーザーとしても知られている。接続端末(AT)106は、移動式であっても固定式であってもよい。各リンクは、異なる数の搬送波周波数を組み込んでもよい。さらに、接続端末106は、ワイヤレスチャネルを通じて、または有線チャネルを通じて、例えば光ファイバもしくは同軸ケーブルを用いて通信する、任意のデータデバイスであってよい。接続端末106はさらに、PCカード、コンパクトフラッシュ（登録商標）、外部もしくは内部のモデム、またはワイヤレスもしくは有線の電話を含むがこれらには限定されない、多くの種類のデバイスのいずれであってもよい。
【００２３】
現在の通信システムは、特定のチャネル割り当て方法を用いて、複数のユーザーが共通の通信媒体に接続できるように設計される。時分割多重接続(TDMA)、周波数分割多重接続(FDMA)、空間分割多重接続、偏波分割多重接続、符号分割多重接続(CDMA)、および他の類似の多重接続技術のような、多くの多重接続技術が当技術分野で知られている。チャネル割り当ては、具体的な多重接続技術に応じて、様々な形態をとりうる。例えば、FDMAシステムでは、全体の周波数帯域がいくつかの小さな部分帯域に分割され、各ユーザーは固有の部分帯域を与えられ、通信リンクに接続する。あるいは、TDMAシステムでは、各ユーザーは、周期的に繰り返すタイムスロットの間、周波数帯域全体を与えられる。CDMAシステムでは、各ユーザーは常に周波数帯域全体を与えられるが、符号を用いて伝送を区別する。
【００２４】
通信システム100のある実装形態では、ATは、ソフトハンドオフとして知られる状態にあってもよく、例えば、ATは順方向リンクおよび/または逆方向リンク上の複数のBSと同時に通信する。例えば、AT 106Jは、2つのBS 160Aと160Bとの間のソフトハンドオフにあるものとして示される。ATによる逆方向リンク伝送を、2つのBSの各々が受信することができ、2つのBSのいずれかまたは両方が、出力制御(PC)命令をATに返信し、AT送信出力を調整することができる。
【００２５】
ある実装形態では、BS 160Cおよび160Dは、基地局コントローラ(BSC)(図示せず)または無線ネットワークコントローラ(RNC)とさらに通信する、ベーストランシーバ基地局(BTS)であってよい。BSCは、例えば、AT間の無線チャネルの割り当て、ATからのチャネル品質の測定結果、BTSからBTSへのハンドオーバーの制御などを扱うことができる。
【００２６】
本開示のある例示的な実施形態が、cdma2000規格にしたがった動作について以下で説明されうるが、相応の修正を伴う他のデジタル通信システムにも技術を容易に適用できることが、当業者には理解されよう。例えば、本開示の技術は、W-CDMA(または3gpp、またはUMTS)、ワイヤレス通信規格、および/または任意の他の通信規格に基づくシステムにも、適用されうる。さらに、本開示のある例示的な実施形態が、ワイヤレス通信システムの逆方向リンクにおける動作について以下で説明されうるが、技術はワイヤレス通信システムの逆方向リンクに限定される必要はないことが、当業者には理解されよう。例えば、本明細書で用いられる「ユーザー」は、逆方向リンク上のBSと通信するATを具体的に示しうるが、通信リンクを介して任意の他のユニットと通信する任意の通信ユニットも全般に示しうる。そのような代替の例示的な実施形態は、本開示の範囲内にあると考えられる。
【００２７】
図2は、例えば図1の接続端末106において実装されうる、従来技術の送信機の構造および/または処理の例を示す。図2に示される機能およびコンポーネントは、ソフトウェア、ハードウェア、またはソフトウェアとハードウェアの組み合わせで実装されうる。図2に示される機能に加えて、またはその代わりに、他の機能が図2に追加されうる。図2Aは、図2に示される動作ブロックにより処理されるデータの状態を示す。
【００２８】
図2において、データソース200は、データd(t)または200aを、FQI/符号器202に与える。FQI/符号器202は、巡回冗長検査(CRC)のようなフレーム品質インジケータ(FQI)を、データd(t)に付加することができる。FQI/符号器202はさらに、1つまたは複数の符号化スキームを用いてデータおよびFQIを符号化し、符号化されたシンボル202aを提供することができる。各符号化スキームは、1つまたは複数の種類の符号化、例えば、畳み込み符号化、ターボ符号化、ブロック符号化、反復符号化、他の種類の符号化を含んでもよく、または符号化を全く含まなくてもよい。他の符号化スキームは、自動反復要求(ARQ)、ハイブリッドARQ(H-ARQ)、増加的冗長(incremental redundancy)反復技術を含みうる。異なる種類のデータは、異なる符号化スキームにより符号化されうる。符号化された情報およびFQIは、図2Aで202aとしても示される。
【００２９】
インターリーバ204は、フェーディングに対抗するように、符号化されたデータシンボル202aを時間内にインターリーブし、シンボル204aを生成する。信号204aのインターリーブされたシンボルは、事前に定義されたフレームフォーマットに、フレームフォーマットブロック205によりマッピングされ、フレーム205aを生成することができる。ある実装形態では、フレームフォーマットは、フレームを複数のサブセグメントから構成されるものとして規定することができる。ある実装形態では、サブセグメントは、所与の次元、例えば時間、周波数、符号、または任意の他の次元に関して連続な、フレームの任意の部分であってよい。フレームは、一定数の複数のそのようなサブセグメントで構成されていてもよく、各サブセグメントは、フレームに割り当てられたシンボルの総数の一部を格納する。例えば、W-CDMA規格にしたがった例示的な実施形態では、サブセグメントはスロットとして定義されうる。cdma2000規格にしたがった実装形態では、サブセグメントは、出力制御グループ(PCG)として定義されうる。例えば、図2Aは、インターリーブされたシンボル204aが、フレーム205aを形成する複数のS個のサブセグメントにセグメント化されることを示す。
【００３０】
ある実装形態では、フレームフォーマットはさらに、インターリーブされたシンボル204aとともに例えば制御シンボル(図示せず)を含むことを規定してもよい。そのような制御シンボルは、例えば、出力制御シンボル、フレームフォーマット情報シンボルなどを含みうる。
【００３１】
変調器206はフレーム205aを変調して、変調されたデータ206aを生成する。変調技術の例には、二位相偏移変調(BPSK)および四位相偏移変調(QPSK)が含まれる。変調器206はまた、変調されたデータのシーケンスを反復してもよい。変調器206はまた、変調されたデータをWalshカバー(すなわちWalsh符号)により拡散し、チップのストリームを形成することができる。変調器206はまた、擬似ランダムノイズ(PN)拡散器を用いて、1つまたは複数のPN符号(例えば短符号、長符号)によりチップのストリームを拡散することができる
【００３２】
ベースバンドから高周波(RF)への変換ブロック208は、アンテナ210を介しワイヤレス通信リンクを通じて信号210aとして1つまたは複数の基地局の受信機に送信するために、変調された信号206aをRF信号に変換することができる。
【００３３】
図3は、複数のユーザーによってCDMA通信システムの基地局に送信される、例示的なチャネル300を示す。例示的なチャネルおよびユーザーは例示のみの目的で示され、本開示の範囲を、示されたチャネルまたはユーザーの具体的な構成に限定することは何ら意図されないことに、留意されたい。
【００３４】
図3において、単一の基地局(BS)に送信するユーザーA、ユーザーB、およびユーザーCが示されている。各ユーザーからの送信(TX)は、パイロット信号およびトラフィック信号を含む。いくつかの実装形態では、各ユーザー向けのパイロット信号は、トラフィック信号とは別の符号に多重化され、受信機(例えば基地局)がパイロット信号をトラフィック信号と分離できるようにする。パイロット信号は、他のチャネル化スキームを用いて代替的にまたはさらに多重化することができ、例えば、パイロット信号およびトラフィック信号は、別々の四位相(例えばIおよびQ)搬送波上に変調されうる。パイロット信号は、例えば、信号の内容が受信機により事前に知られている送信されるシーケンスを含み、例えば対応するトラフィックデータを復調する際に受信機を支援することができる。本明細書および特許請求の範囲で用いられる場合、用語「トラフィック」は、データの内容が受信機により事前に知られていない任意のチャネルを含む。したがって、用語「トラフィック」は、cdma2000システム内の音声トラフィックに関連するデータと、ACKメッセージ、出力制御メッセージなどのような「オーバーヘッドチャネル」に関連するデータとの両方を包含しうる。
【００３５】
図3において、各ユーザーからのトラフィック信号はさらに、時間内に複数のフレームにフォーマットされ、各フレームはさらに、複数の(例えば16個)サブセグメントまたは「出力制御グループ(PCG)」にフォーマットされる。図3に示されるように、任意のユーザーにより送信されるフレームの開始時間および終了時間は、一般に、他のユーザーにより送信されるフレームの開始時間および終了時間と一致する必要はないことに留意されたい。
【００３６】
BSにおいて、全てのユーザーに対するパイロット信号およびトラフィック信号の合計を含むコンポジット信号が受信および処理されて、各ユーザーにより送信されたデータを回復する。図3に示される従来技術では、BSは、フレームに対応する全てのPCGを受信した後にのみ、そのフレームの復号を開始する。例えば、BSは、PCG#15をユーザーAから受信した後にのみユーザーAのフレームの復号を開始し、ユーザーBおよびユーザーCについても同様である。
【００３７】
図4は、ユーザーにより送信された信号を受信および処理するように基地局において実装されうる、受信機400を示す。図4に示される機能およびコンポーネントは、ソフトウェア、ハードウェア、またはソフトウェアとハードウェアの組み合わせにより実装されうる。図4に示される機能に加えて、またはその代わりに、他の機能が図4に追加されてもよい。基地局における干渉相殺が以下で説明されるが、本明細書の概念は、ユーザーまたは通信システムの任意の他のコンポーネントに対して容易に適用されうる。
【００３８】
図4において、1つまたは複数のアンテナ401は、全てのユーザーからコンポジット信号r 401aを受信する。例えば、図3を参照して前に説明されたように、rは、全てのユーザーの送信されたパイロット信号およびトラフィック信号の合計に相当しうる。受信された信号r 401aは、RFからベースバンドへの変換ブロック402に提供され、変換ブロック402は、受信された信号を調整(例えば、フィルタリング、増幅、およびダウンコンバート)およびデジタル化して、デジタルのサンプルを生成することができる。
【００３９】
復調器404は、受信された信号を復調し、各ユーザーのための回復されたシンボルを提供することができる。cdma2000では、復調は、(1)逆拡散されたサンプルをチャネル化して、受信されたパイロット信号およびトラフィック信号をそれぞれの符号チャネル上に分離し、(2)チャネル化されたトラフィックを回復されたパイロット信号によりコヒーレントに復調し、復調されたデータを提供することにより、データ伝送を回復しようとする。復調器404は、全てのユーザーのために受信されたコンポジット信号rのサンプルを保存するための、受信されたサンプルのバッファ412(共有フロントエンドRAM、FERAM、またはサンプルRAMとも呼ばれる)、別個のマルチパスおよび/またはユーザーに対応する複数の信号の実体を逆拡散および処理するための、レイク受信機414、ならびに、復調されたシンボルのバッファ416(バックエンドRAM、BERAM、または復調されたシンボルのRAMとも呼ばれる)を含みうる。ある特定のユーザーにそれぞれが対応する、複数の復調されたシンボルのバッファ416が存在しうることに留意されたい。
【００４０】
デインターリーバ406は、復調器404からのデータをデインターリーブする。
【００４１】
復号器408は、復調されたデータを復号して、復号されたデータビット
【００４２】
【数１】
0005456165.tif 000002
【００４３】
を回復することができる。復号されたデータ
【００４４】
【数２】
0005456165.tif 000003
【００４５】
は、データ受信装置410に提供されうる。
【００４６】
図4において、復号されたデータビット
【００４７】
【数３】
0005456165.tif 000004
【００４８】
はさらに、干渉再構築ブロック460に入力され、FERAMに保存されたコンポジット信号rへの復号されたユーザーの寄与を再構築するように示される。ブロック460は、例えば図2に示される動作にしたがって、ユーザーにより最初に送信された信号の複製物を再構築するための、符号器462、インターリーバ464、フレームフォーマットブロック465、および変調器466を含む。ブロック460はさらに、受信されたユーザーのサンプルをFERAMの分解能で、例えばチップレートの2倍で形成するフィルタ468を含む。例示的な実施形態では、フィルタ468の利得は、当技術分野で知られているチャネル推定技術から導出されるようなチャネル推定により、重み付けされうる。そして、トラフィック干渉相殺(TIC)として知られる処理の中で、FERAMへの復号されたユーザーの寄与が、トラフィック相殺ブロック461を用いて、FERAM412から削除または相殺される。
【００４９】
図4にさらに示されるように、パイロット信号干渉相殺(PIC)を実行するための、パイロット信号推定/再構築ブロック470が提供される。ブロック470は、FERAM412内のサンプルからユーザーのパイロット信号を相殺できるので、各ユーザーのトラフィック信号の復調および復号を、そのユーザーおよび他のユーザーのパイロット信号からの干渉を受けずに進めることができる。PICを実行するための技術は、例えば、本明細書で前に参照される、米国特許出願第12/484572号に開示されている。
【００５０】
受信機400内のFERAM412およびBERAM416の機能の更なる説明が、以下で与えられる。
【００５１】
例示的な実施形態では、FERAM412およびBERAM416は、循環バッファであってもよい。FERAM412は、受信されたサンプルを(例えばチップレートの2倍で)保存し、全てのユーザーに共通である。BERAM416は、受信された信号の復調されたシンボルを、復調器のレイク受信機414により生成された通りに保存する。復調されたシンボルは、ユーザー特有のPNシーケンスを用いて逆拡散し、複数のレイクフィンガーにわたり組み合わせることにより得られるので、各ユーザーは異なるBERAMを有しうる。例示的な実施形態では、各レイクフィンガーは、固有の対応するパイロット信号を推定することができ、その後、推定されたパイロット信号が当技術分野で知られているPIC技術を用いてFERAMから相殺される時には、その推定されたパイロット信号を導出した対応するレイクフィンガーのオフセットを用いて相殺されうる。
【００５２】
図5は、コンポジット信号rからユーザーのフレームの干渉を相殺するための、方法500の例示的な実施形態を示す。
【００５３】
ブロック505において、コンポジット信号rが受信され、FERAMに保存される。
【００５４】
ブロック510において、信号rが単一のユーザーに対して復調され、デインターリーブされてシンボルyを生成し、シンボルyはBERAMに保存される。
【００５５】
ブロック520において、フレーム全体、すなわち全てのPCGを含むフレーム全体がユーザーのために受信されると、シンボルyが復号される。
【００５６】
ブロック525において、例えば、図2のFQI/符号器ブロック202で付加されたようなFQIが通過するかどうかが判定される。通過した場合、方法はブロック530に進む。通過しない場合、方法はブロック540に進む。いくつかの例示的な実施形態では、FQIは送信機においてフレームに明示的に付加されたものである必要はなく、代わりに、例えば受信されたフレームのエネルギーの計量または他の計量を含みうる。
【００５７】
ブロック530において、干渉相殺(IC)が、FERAMに保存された信号に対して実行される。例えば、図4を参照して前に説明されたように、復号に成功したフレームの復号されたデータビット
【００５８】
【数４】
0005456165.tif 000005
【００５９】
は干渉再構築ブロックに入力され、再構築されたトラフィック信号はFERAMから相殺されうる。FERAMから相殺された干渉は、例えば、別のユーザーのフレームの復号が成功する確率を改善しうる。
【００６０】
ブロック540において、フレームに対するICが終了する。
【００６１】
ブロック511によりまとめて示される動作(すなわちブロック520〜540)は単一のユーザーのための単一のフレームに対して適用されるように示されるが、ブロック511の複数の例は、複数のユーザーのための複数のフレームを処理し、コンポジット信号rに対してICを実施するように容易に実行されうることが当業者には理解されよう。
【００６２】
本開示のある態様では、干渉相殺を早期復号と組み合わせるための技術が説明され、ユーザーのためのフレームのデータビットd(t)の復号が、フレーム全体を受信する前に試みられる。早期復号のための機構は、例えば、本明細書で前に参照される、米国特許出願第12/252544号でさらに説明される。
【００６３】
図6は、本開示による、例示的な早期復号および干渉相殺(IC)技術の例示的なタイミング図600を示す。タイミング図600は例示のみを目的に示され、本開示の範囲を、本明細書で示される特定のパラメータに限定することは何ら意図されないことに留意されたい。本明細書で言及される具体的なPCGの数は例示のみが目的であり、本開示の範囲を限定することは意図されないことも、当業者には理解されよう。
【００６４】
図6では、ユーザーAは、複数のPCGを含むフレームを、逆方向リンクでBSに送信する。BSは、PCGがユーザーAにより送信されるとPCGを受信し、フレームに関連する全てのPCGを受信する前に、すなわち、早期復号技術にしたがって、フレームの復号を試みる。図6では、復号の試みが発生する可能性があるのは、4つのPCGの各々について1回、例えば、PCG#3を受信した後、PCG#7を受信した後、PCG#11を受信した後、およびPCG#15を受信した後である。早期復号の試みは、4つのPCGの各々に1回ではない間隔で発生してもよく、そのような代替の例示的な実施形態は、本開示の範囲内にあると考えられることが、当業者には理解されよう。
【００６５】
示される例では、PCG#7を受信した後の復号の試みは成功し、すると、フレーム全体に対応するデータビット
【００６６】
【数５】
0005456165.tif 000006
【００６７】
がBSにより知られる。フレームの復号が成功したのに続いて、後方向のIC610aと前方向のIC610bの両方が本開示にしたがって実行されうる。
【００６８】
例示的な実施形態では、後方向のIC 610aは、復号が成功する前に受信されたPCG(すなわち、図6のPCG0から7)に含まれるトラフィック信号を再構築することと、FERAMからの再構築された信号を相殺することとを含む。後方向のIC 610aは、例えば、復号に成功したユーザーのPCGに関連する干渉を、FERAMに保存された信号から除去することによって、他のユーザーのトラフィック信号の復号に利益をもたらしうる。
【００６９】
例示的な実施形態では、前方向のIC 610bは、復号に成功したフレーム(例えば、図6のPCG8から15)のためのこれから受信されることになるPCG内のトラフィック信号を、データビット
【００７０】
【数６】
0005456165.tif 000007
【００７１】
を用いて再構築することと、コンポジット信号rからの再構築された信号を相殺することとを含む。後方向のIC 610aのように、前方向のIC 610bも他のユーザーのトラフィック信号の復号に利益をもたらし、前方向の相殺のためにr中のユーザーの信号を最初に復調および復号することに関しての遅延が必要ないという、追加の利点を有する。例示的な実施形態では、前方向のIC 610bは、例えばあらゆるトラフィックチャネルの復調の前に、残りのPCGに対するパイロット信号干渉相殺(PIC)と同時に実行されうる。
【００７２】
例示的な実施形態では、基地局へのユーザーAによる逆方向リンク伝送(例えばトラフィック信号)を第1のチャネルと定義することができ、同じ基地局への他のユーザーの伝送(図示せず)は第2のチャネルと定義することができる。上で説明された後方向のIC技術および前方向のIC技術を用いて、第1のチャネル上で相殺を実施することは、有利なことに、基地局における第2のチャネルの復号に利益をもたらしうることが理解されよう。前方向のICの場合、第1のチャネル上でのそのような相殺は、例えば、第1のチャネルの早期復号が成功したフレームの残りのPCGに対応する、生成された予測される受信信号を用いて、行われうる。
【００７３】
図7は、本開示による、rからの早期復号に成功したフレームの干渉を相殺するための、例示的な方法700を示す。
【００７４】
ブロック705において、コンポジット信号rが受信され、FERAMに保存される。
【００７５】
ブロック710において、信号rが単一のユーザーに対して復調され、デインターリーブされてシンボルyを生成する。例示的な実施形態では、ユーザーのためのシンボルyは対応するBERAMに保存されうる。ブロック715において、ユーザーのためのFERAMに保存された信号に対して、復号を試みることができるかどうかが判定される。復号を試みることができる場合、方法はブロック720に進む。試みられる復号は、本明細書で前に説明された早期復号の試みであってもよいことが理解されよう。例示的な実施形態では、図6で示されるように、例えばフレームの4つの受信されたPCGのそれぞれに対して1回、復号が実行されうる。代替の例示的な実施形態では、復号は任意の他の間隔て実行されてもよく、そのような代替の例示的な実施形態は、本開示の範囲にあるものと考えられる。
【００７６】
ブロック720において、ユーザーのためのBERAMに保存されたシンボルyが復号され、ブロック725において、復号されたビットに関連するFQIが通過するかどうかが確認される。通過した場合、方法はブロック730に進む。通過しなかった場合、方法はブロック735に進み、フレームの端に達したかどうかが判定される。フレームの端に達していない場合、方法はブロック715に戻る。フレームの端に達している場合、方法はブロック750に進む。
【００７７】
ブロック730において、例えば図6の610aを参照して前に説明されたように、FERAMに既に保存されている信号に対する後方向のICが実行される。次に、ブロック740において、例えば図6の610bを参照して前に説明されたように、フレームの残りのPCG(もしあれば)の信号に対する前方向のICが実行される。
【００７８】
ブロック750において、フレームに対するICが終了する。
【００７９】
ブロック711によりまとめて示される動作(すなわちブロック720〜750)は、図7では単一のユーザーのための単一のフレームに対して適用されるものとして示されるが、ブロック711の複数の例が、複数のユーザーのための複数のフレームを処理してコンポジット信号に対してICを実行するように、容易に実行されうることが、当業者には理解されよう。そのような代替の例示的な実施形態は、本開示の範囲内にあるものと考えられる。
【００８０】
例示的な実施形態では、本開示の早期復号技術およびIC技術は、例えば、基地局において早期復号に成功した後のフレームの残りの間、ユーザーの送信出力を下げるように、出力制御技術と組み合わされうる。図8は、本開示の技術による、出力制御(PC)スキームの例示的な実施形態を示す。
【００８１】
図8では、図6を参照して本明細書で前に説明されたように、ユーザーAは、フレームを形成する複数のPCGを、逆方向リンクでBSに送信する。示される例示的な実施形態では、BSは、PCG#7を受信した後、伝送の早期復号に成功する。当技術分野でよく知られている出力制御技術によれば、PCG#7を受信してから時間tD後、BSは負の出力制御(PC)オフセットを適用し、最後に受信されたPCGと比べて送信出力を下げるように、ユーザーAに命令する。示される例示的な実施形態では、負のPCオフセットは-3dBである。早期復号が成功した後にBSにより与えられる負の出力制御オフセットにより、有利なことに、早期復号されたフレームの残りについて、ユーザーAが他のユーザーに対して引き起こす干渉が、低減することが理解されよう。
【００８２】
次に、次のフレームが開始する前に、BSは出力制御オフセットを0dBに上げて戻すことができるので、ユーザーAは、次のフレームの初回PCGを適切な出力レベルで送信することができる。例示的な実施形態では、BSは、次のフレームの開始よりも所定の数のPCGだけ前に、出力制御オフセットを0dBに上げて戻すことを始めて、送信出力を調整するユーザーの能力に伴うスルーレートによるあらゆる制限に対処する。例えば、ユーザーAがPCG当たり1dBの最大スルーレートで送信出力を調整でき、負のPCオフセットが-3dBである場合、BSは、次のフレームより少なくとも3つのPCG分だけ前に、出力制御オフセットを-3dBから0dBに上げ始めることができる。代替の例示的な実施形態(図示せず)では、BSは別の方法で、例えば、複数のPCGにわたって±1dB/PCGの増分で、出力制御オフセットを低下または上昇させてもよい。そのような代替の例示的な実施形態は、本開示の範囲内にあるものと考えられる。
【００８３】
例示的な実装形態では、図8に示されるPCオフセットは、例えば当技術分野でよく知られているアウターループ出力制御(OLPC)技術によって設定されるような、出力制御目標レベルに直接適用されうる。そのようなOLPC技術は、例えば、出力制御目標レベルを動的に調整し、BSにおける目標のフレームエラーレートまたは他の目標計量値を維持することができる。
【００８４】
図8Aは、説明される出力制御技術を実施するための装置の例示的な実施形態800Aである。図8Aでは、出力制御設定値計算モジュール810Aは、復号器408の出力に結合される。出力制御設定値計算モジュール810Aは、第1のチャネルの第2の部分の受信中に、または受信が終了した後に、第1のチャネルの出力制御設定値を初期設定値に戻すために、第1のチャネルの復号に成功した後に、第1のチャネルの出力制御設定値を初期設定値から下げるように構成されうる。
【００８５】
出力制御設定値モジュール810Aは、出力制御設定値に基づいて、復号されたユーザー向けの出力制御命令を生成するための、出力制御命令生成器820Aに結合されうる。
【００８６】
出力制御命令生成器820Aは、RF伝送モジュール830Aおよびデュプレクサ840Aに結合されてもよく、これにより、アンテナ401を受信チェーンと送信チェーンとで共有することが可能になる。
【００８７】
例示的な実施形態では、図8を参照して本明細書で説明される出力制御技術は、ユーザーまたはATが、図1の通信システム100を参照して前で説明されたようにソフトハンドオフの状態にある状況に、適用されうる。例示的な実施形態では、中央BSCが、ATに割り当てられた単一のOLPCループを維持することができる。OLPCループの目標出力レベルは、ソフトハンドオフの状態でATと通信している複数のBTSの各々に与えられる。各BTSは、インナーループ出力制御(ILPC)ループにしたがって、(例えば順方向リンクで)出力制御命令をATに送信し、OLPC目標レベルにしたがってAT送信出力を調整する。
【００８８】
例示的な実施形態では、ATがソフトハンドオフの状態にある場合、複数のBTSの各々が、上で説明された原理にしたがって、ATから受信される信号に対して早期復号を局所的に実行することができる。複数のBTSの1つまたは複数が、ATからのフレームの早期復号に成功することができると、そのような1つまたは複数のBTSは、図8に示されるPCオフセットを、BSCにより与えられるOLPC目標レベルに適用することができる。例示的な実施形態では、複数のBTS(一部は早期復号に成功したATのフレームを有さないことがある)からの出力制御命令の受信に応じて、BTSの出力制御命令のいずれか1つが送信出力を下げるようにATに指示する場合に、送信出力レベルを下げるように、ATが構成されうる。このようにして、実際のATの送信出力は「低減の論理和」として制御されることが理解されよう。したがって、ATが、ソフトハンドオフ中の任意のBTSによる早期復号の成功後、BSCにより維持され更新されるOLPC目標値に影響を与えることなく送信出力レベルを下げるように命令されるのに、成功しうる。
【００８９】
図8Bは、ソフトハンドオフ時のユーザーのための説明される出力制御技術を実施するための、装置800Bの例示的な実施形態を示す。装置800Bは、ソフトハンドオフ時のユーザー向けの出力制御命令を処理するためのものである。装置800Bは、例えばATにおいて実装されうる。
【００９０】
図8Bでは、ソフトハンドオフ時のユーザーと通信している複数の基地局の各々から出力制御命令を受信するための、受信機810Bが示される。出力制御命令の各々は、フレームの単一の出力制御グループ(PCG)の送信出力を調整するようにユーザーに指示することができる。
【００９１】
出力制御命令処理モジュール820Bは、受信機810Bに結合される。出力制御命令処理モジュール820Bは、受信された出力制御命令のいずれかが送信出力を下げるように命令する場合、PCGの送信出力を調整して下げる。出力制御命令処理モジュール820Bは、送信機840Bの送信出力を制御する送信出力調整ブロック830Bに結合される。
【００９２】
図9は、本開示の別の態様による、遅延復号技術の例示的な実施形態を示す。図9では、ユーザーA、ユーザーB、およびユーザーCが、基地局(BS)受信機(図示せず)にフレームを送信する。BSは、910においてPCG#11を受信した後に、ユーザーCのフレームの復号に成功し、920においてPCG#15を受信した後に、ユーザーBのフレームの復号に成功する。しかし、BSは、フレーム#1のPCG#15を受信した後、すなわち、フレーム#1の名目上のフレーム長912の名目上の終点913においても、ユーザーAのフレーム#1の復号に成功できない。フレーム#1の名目上のフレーム長912とは、ユーザーAがフレーム#1に対応するPCGをBSに送信する期間を指すことに留意されたい。
【００９３】
遅延復号として知られる技術では、BSは、フレーム#1の名目上のフレーム長912が終わった後でも、ユーザーAのフレーム#1の復号を試み続ける。例示的な実施形態では、BSは、フレーム#1の実質的なフレーム長914の実質的な終点915まで、ユーザーAのフレーム#1の復号を試み続け、実質的なフレーム長914は、名目上のフレーム長912よりも長くなるように選ばれる。示される例示的な実施形態では、フレーム#1の実質的なフレーム長914は、フレーム#2の、すなわち、フレーム#1の後にユーザーAにより送信されるフレームの、PCG#7の終わりまで伸びる。名目上の終点913の後では、フレーム#1のためのBSにより追加のPCGが受信されることはないが、それでも、名目上の終点913の後でフレーム#1の復号を試みることで、名目上の終点913の後に発生する、他のユーザー、例えばユーザーCおよびBの干渉が低減することによる利益を得ることができることが理解されよう。
【００９４】
前述の事項は、フレーム#1の受信されたPCGから受信されたシンボルのエネルギー(Eb)と、フレーム#1の実質的なフレーム長にわたる他のユーザーによる干渉出力(Nt)とを考慮することにより説明される。図9に示されるように、930において、フレーム#1のEbは名目上の終点913までしか上がらないが、940において、フレーム#1のNtは実質的な終点915まで下がる。これにより、実質的なフレーム長914の期間全体で、フレーム#1のEb/Nt 950の正味の増加がもたらされる。図9に示されるように、960において、BSは最終的にフレーム#1の復号に成功する。
【００９５】
例示的な実施形態では、実質的なフレーム長914は、フレームの復号が他のユーザーのICから利益を得られるのに十分長く、かつ、各ユーザーの逆方向リンクのフレームの許容可能な遅延を超えるほど長くならないように、選択されうる。図9に示される例示的な実施形態では、実質的なフレーム長914は24個のPCGである。代替の例示的な実施形態では、実質的なフレーム長914は、任意の他の時間長、例えば32個のPCGであってもよい。ある例示的な実施形態では、別々の実質的なフレーム長が、各ユーザーの要件、例えば遅延の要件に応じて、逆方向リンク上の基地局に送信している複数のATの各々に対して提供されうる。
【００９６】
例示的な実施形態では、本明細書で開示される遅延復号技術による性能の向上を反映するように、OLPCループは、実質的なフレーム長が経過した後にのみフレームのために更新されうる。
【００９７】
図10は、本開示による、遅延復号を実施するための、BS向けの方法の例示的な実施形態1000を示す。方法1000は、例示のみを目的に示され、本開示の範囲を、示される具体的な方法に限定することは何ら意図されないことに留意されたい。
【００９８】
図10では、ブロック505において、コンポジット信号rが受信され、FERAMに保存される。
【００９９】
ブロック505に続くのは、複数のブロック510.1から510.Nであり、Nは、逆方向リンクで現在受信されているユーザー数に対応する。例示的な実施形態では、ブロックの各々510.1から510.Nは、図5で示されるように、単一のユーザー向けのシンボルynを復調しデインターリーブするための、ブロック510の例であってよく、nは1からNまでの添字である。本明細書で前に説明された原理にしたがって、各ユーザー向けの復調されデインターリーブされたシンボルynが、対応するBERAMに保存されうる。例えば、当技術分野で知られる優先順位を決める技術にしたがって、ブロック510.1から510.Nに示される動作は、並行に、連続して、またはその両方の組み合わせで実行されうることが理解されよう。
【０１００】
図10では、ブロック510.1から510.Nの各々には、複数のブロック711.n.1から711.n.Vが続くことができ、Vは、以下でさらに説明される遅延復号バッファサイズに対応する。説明しやすくするために、図10では、第1の復調/デインターリーブブロック510.1のためのブロック711.1.1から711.1.Vのみが示される。ブロック510.2から510.Nは同様のブロックを備えてもよく、一般に、遅延復号バッファサイズVは、全てのブロック510.1から510.Nにわたって均一である必要はないことを、当業者は図10から理解するであろう。そのような例示的な実施形態は、本開示の範囲内にあるものと考えられる。
【０１０１】
例示的な実施形態では、ブロック711.1.1から711.1.Vの各々は、早期復号に成功したフレーム向けの推定されたデータビット
【０１０２】
【数７】
0005456165.tif 000008
【０１０３】
を用いてコンポジット信号rに対してICを実行するための、ブロック711の例であってよい。例えば、ブロック711.1.1から711.1.Vの各々は、図7に示される方法711のためのブロック715〜750を含みうる。そのようなブロックは、別段述べられない限り、図7の対応するブロックについて説明される動作と同様の動作を実行することができる。説明しやすくするためにブロック711.1.1の各々に示されていないいくつかのブロックがやはり、実際の例示的な実施形態では存在しうることが理解されよう。
【０１０４】
ブロック715.1.1が図10のブロック711.1.1に特に示され、ブロック715.1.1は、FERAMに書き込まれる信号に対して、ユーザーのために復号を試みることができるかどうかを判定する。本開示による遅延復号技術が実装される例示的な実施形態では、本明細書で前に説明されたように、フレームの名目上の終点の後でも、すなわち、実質的な終点まで、そのフレームに対して復号を試みることができることが理解されよう。例えば、図9に示されるユーザーAのフレーム#1について、ブロック715.1.1は、実質的な終点915まで、4つのPCGごとに、フレーム#1の復号を試みることができる。
【０１０５】
ブロック735.1.1も、ブロック711.1.1に特に示され、ブロック735.1.1は、フレームの終点に達したかどうかを判定する。本開示による遅延復号技術が実装される例示的な実施形態では、ブロック735.1.1で判定されることになるフレームの終点は、名目上のフレームの終点ではなく、実質的なフレームの終点に対応する。
【０１０６】
本明細書で説明される遅延復号技術によれば、受信機は、一般に、ユーザーの複数のフレームを並列に復号することを試みることができ、その理由は、1つのフレームの実質的なフレーム長が、その同じユーザーの別のフレームの名目上の(および/または実質的な)フレーム長と重複しうるためである。例えば、図9では、フレーム#1の実質的なフレーム長は、ユーザーAのフレーム#2の名目上の(および実質的な)フレーム長と重複し、例えばフレーム#2のPCG#4を受信した後に実行される、フレーム#2に対する復号の試みは、フレーム#1に対してこれから復号の試みが実行されることになる時に、発生しうる。そのような複数のフレームに対する並列の復号の試みに対応するために、受信機は、各ユーザーに対し、複数のV個のブロック711の例、例えば711.n.1から711.n.Vを提供することができ、Vは、本明細書で前に説明されたような遅延復号バッファサイズに対応する。
【０１０７】
受信されているフレームの具体的な種類について決定される実質的なフレーム長に基づいて、Vが動的に選択されうることが理解されよう。例えば、図9のユーザーAについて、受信機は一般に、示された実質的なフレーム長914の下では、2よりも多くのフレームを並列に復号することは要求されないことがあるので、Vを2に設定すれば十分でありうる。
【０１０８】
本開示の別の態様では、図11〜13を参照して本明細書でさらに説明されるように、残りのパイロット信号干渉相殺(PIC)を実行して正確なチャネル推定を得て、そのような正確なチャネル推定について次にトラフィック信号の復調を実行するための技術が提供される。
【０１０９】
図11は、本開示による、受信機の代替の例示的な実施形態1100を示す。図4および図11の同様に名付けられたブロックは、別段述べられない限り同様の機能を実行できることに留意されたい。受信機1100は、パイロットメモリ1130に結合されトラフィック再構築ブロック460およびトラフィック相殺ブロック461と組み合わされる、初回のおよび残りのパイロット信号推定/再構築ブロック1120を含む。例示的な実施形態では、受信機1100の動作は、図12で説明されるように続いてもよい。
【０１１０】
図12は、図11の受信機1100の、初回のPIC、TIC、および残りのPICを実行するための方法1200を示す。
【０１１１】
ブロック1202において、サンプルが連続的に受信され、FERAM、例えば図11のFERAM412に保存される。
【０１１２】
ブロック1204において、初回のパイロット信号推定が、複数のユーザー1からNに対して実行される。初回のパイロット信号推定のための技術が当技術分野でよく知られており、例えば、本明細書で前に参照される、米国特許出願第12/484572号でさらに説明される。
【０１１３】
ブロック1205において、推定されたパイロット信号
【０１１４】
【数８】
0005456165.tif 000009
【０１１５】
から
【０１１６】
【数９】
0005456165.tif 000010
【０１１７】
は、残りのPICにおいて後で用いるために、パイロットメモリ、例えば図11のパイロットメモリ1130に保存される。複数のユーザー1からNのためにメモリに保存されたパイロット信号推定は、
【０１１８】
【数１０】
0005456165.tif 000011
【０１１９】
から
【０１２０】
【数１１】
0005456165.tif 000012
【０１２１】
とも示される。
【０１２２】
ブロック1206において、初回のパイロット信号干渉相殺(PIC)が、ブロック1204で得られたパイロット信号推定を、FERAM412に保存されたサンプルから差し引くことにより実行される。
【０１２３】
ブロック1208において、残りのPICが、FERAM412内のサンプルに対して、全てのユーザーのために実行される。残りのパイロット信号推定は、例えば、初回のPICがブロック1206で既に実行されたことにより、FERAM412のサンプルに存在する干渉の度合いが低いため、ブロック1204で実行される初回のパイロット信号推定よりも正確になることが期待される。残りのPICは、TICが、ブロック1208〜1216の前の繰り返しの間の、本明細書で後で説明されるブロック1212で実行されることからも、利益を得ることができる。
【０１２４】
例示的な実施形態では、ブロック1208で実行される動作は、図13に示される残りのPICブロック1208.1により示される動作であってよい。例示的な実施形態では、ブロック1208における残りのPICは、ブロック1205においてメモリに保存されたような、かつブロック1207においてメモリから読み取られたような、初回のパイロット信号推定から得られるパイロット信号推定を利用することができる。
【０１２５】
ブロック1208における残りのPICの間に得られるパイロット信号推定、すなわち、残りのパイロット信号推定は、ブロック1205においてパイロットメモリを更新するためにさらに使用されうることに留意されたい。このようにして、パイロットメモリは、最新のパイロット信号推定を常に備えうる。
【０１２６】
ブロック1210において、復号されていないユーザーのグループGが選択される。
【０１２７】
ブロック1212において、トラフィックチャネルの復調が実行される。例示的な実施形態では、トラフィックチャネルの復調は、例えばブロック1208で実行されるような、残りのパイロット信号干渉相殺から得られるようなチャネル推定を用いて、実行されうる。例示的な実施形態では、そのようなチャネル推定は、例えばブロック1207において、保存されたパイロット信号推定をメモリから読み取ることによって、パイロットメモリに保存されるような最新のパイロット信号推定に対応しうる。例示的な実施形態では、そのようなチャネル推定は、図13を参照して本明細書でさらに説明されるような、残りのパイロット信号推定
【０１２８】
【数１２】
0005456165.tif 000013
【０１２９】
に対応しうる。
【０１３０】
さらに、ブロック1212において、G内のユーザーのためのトラフィックの復号が、復調されたトラフィックチャネルに基づいて試みられる。
【０１３１】
ブロック1214において、復号されたデータに基づいてトラフィック信号を再構築し、再構築された信号をFERAM412内のサンプルr(t)から相殺することにより、TICが復号に成功したユーザーに対して実行される。例示的な実施形態では、トラフィック信号を再構築するために用いられるチャネル推定はまた、パイロットメモリに保存され、ブロック1207においてメモリから読み取られるような、パイロット信号推定にも基づきうる。
【０１３２】
ブロック1216において、復号すべきユーザーがまだいるかどうかが確認される。復号すべきユーザーがいる場合、方法はブロック1208に戻る。復号すべきユーザーがいない場合、方法はブロック1204に戻る。
【０１３３】
図12Aは、図12で言及される残りのPICブロック1208により実行される動作の、例示的な実施形態1208.1を示す。1260で示されるブロックの例を、例えば、図11のレイク受信機414の各レイクフィンガー復調器において与えることができ、別々のレイクフィンガーが、各ユーザーnに関連するマルチパスを区別するように割り当てられる。
【０１３４】
図12では、FERAM412に保存される信号は、チャネルnの推定ブロック1270.nに結合される。チャネルnの推定ブロック1270.nでは、まず加算器1271.nが、例えば図12のブロック1205においてユーザーnのために前に保存されたパイロット信号
【０１３５】
【数１３】
0005456165.tif 000014
【０１３６】
を加算し戻す。次いで、チャネル推定ブロック1272.nが、既知のパイロット信号パターンに基づいて、ユーザーnに関連するパイロット信号pn(t)の「残りのパイロット信号推定」
【０１３７】
【数１４】
0005456165.tif 000015
【０１３８】
を計算する。例示的な実施形態では、
【０１３９】
【数１５】
0005456165.tif 000016
【０１４０】
は、可能な場合、ユーザーn向けの復号に成功したトラフィックビットを再符号化することにさらに基づきうる。例示的な実施形態では、残りのパイロット信号推定
【０１４１】
【数１６】
0005456165.tif 000017
【０１４２】
は、トラフィック信号の復調に用いるために、メモリ、例えばパイロットメモリ1130に保存されうる。
【０１４３】
次いで、保存されたパイロット信号
【０１４４】
【数１７】
0005456165.tif 000018
【０１４５】
は、相殺加算器1274.nを用いてブロック1272.nの出力から差し引かれ、
【０１４６】
【数１８】
0005456165.tif 000019
【０１４７】
と残りのパイロット信号推定
【０１４８】
【数１９】
0005456165.tif 000020
【０１４９】
の残りの差を導出する。1274.nの出力は、残りのPICとして知られる処理において、相殺加算器1276を用いて信号
【０１５０】
【数２０】
0005456165.tif 000021
【０１５１】
から差し引かれ、出力信号1276aを生成する。
【０１５２】
図13は、図11の受信機1100において、初回のPIC、TIC、および残りのPICを実行するための方法の、代替の例示的な実施形態1300を示す。
【０１５３】
ブロック1302において、サンプルが継続的に受信され、FERAMに保存される。
【０１５４】
ブロック1304において、初回のパイロット信号推定が、複数のユーザー1からNに対して実行される。例示的な実施形態では、初回の推定されたパイロット信号が、例えば残りのパイロット信号干渉相殺に後で用いるために、メモリに保存されうる。
【０１５５】
ブロック1306において、初回のパイロット信号干渉相殺(PIC)は、ブロック1304で得られたパイロット信号推定を、FERAM412に保存されたサンプルから差し引くことによって実行される。
【０１５６】
ブロック1306の後、方法は、ブロック1307.1におけるユーザー1の処理に進む。示される例示的な実施形態では、ブロック1307.1は、以下で説明されるような複数のブロックをさらに含んでもよい。ブロック1307.1の動作は必要に応じて、例えば、他のユーザー2からNのためのブロック1307.2から1307.N(図示せず)を用いて繰り返されてもよいことを、当業者は理解するであろう。
【０１５７】
ブロック1308において、ユーザー1のためのチャネルは、そのユーザーのためにチャネル復調を実行する前に、再推定される。例示的な実施形態では、そのような「再推定されたチャネル」は、例えば、初回のPICが全てのユーザーに対してブロック1306で実行されるため、そのユーザーの初回のパイロット信号推定に基づくチャネル推定よりも正確でありうる。さらに、次のユーザーのために、例えばユーザーnのためのブロック1307.n(図示せず)内の対応するブロック1308で再推定されたチャネルは、前のユーザー1からn-1に対して既に実行された干渉相殺から利益を得ることができる。
【０１５８】
ブロック1310において、ブロック1308で導出される再推定されたチャネルを用いる、ユーザー1のためのチャネル復調が実行される。
【０１５９】
ある例示的な実施形態では、ブロック1308〜1310のチャネル再推定およびチャネル復調を複数のレイクフィンガーにわたって実行することができ、その結果は例えば、BERAMにおいて組み合わされることが、当業者には理解されよう。
【０１６０】
ブロック1312において、復調されたシンボルに対して復号が試みられ、復号が成功したかどうかが判定される。成功した場合、方法はブロック1314に進む。成功しなかった場合、方法はブロック1318に進む。
【０１６１】
ブロック1314において、本明細書で前に説明された原理にしたがって、後方向のTICが、復号に成功したユーザーのフレームに対して実行される。
【０１６２】
ブロック316において、残りのPICも、FERAM内のサンプルに対して実行され、これから復号されることになる他のユーザーに対する可能性のある干渉を、復号に成功したユーザーのパイロット信号から除去することができる。例示的な実施形態では、残りのPICは、本明細書で前に参照される同時係属中の米国特許出願第12/484572号でさらに説明されるような、データ強化されたチャネル推定(DACE)に基づいて進行しうる。例示的な実施形態では、残りのPICは、図12Aを参照して本明細書で前に説明されたように、ブロック1304の後でメモリに保存された初回のパイロット信号推定を利用することができる。
【０１６３】
ブロック1316の後で、方法はブロック1322に進み、次のユーザーのための処理が、例えばユーザー2のためのブロック1307.2(図示せず)にしたがって実行される。
【０１６４】
ブロック1318において、現在の受信されたPCGが、ユーザーに対する最後のPCGかどうかが確認される。例示的な実施形態では、図9を参照して本明細書で前に説明されたように、「最後の」PCGは、実質的なフレームの最後のPCGとして定義されうる。あるいは、「最後の」PCGは、名目上のフレームの最後のPCG、または任意の他の種類のフレームとして定義されうる。最後のPCGである場合は、方法はブロック1320に進む。最後のPCGではない場合は、方法はブロック1322に進み、そこで次のユーザーに対する処理が実行される。
【０１６５】
ブロック1320において、残りのPICがFERAM内のサンプルに対して実行されうる。残りのPICは、例えば、図12Aを参照して本明細書で前に説明されたように、実行されうる。
【０１６６】
図14は、本開示による方法の例示的な実施形態1400を示す。方法1400は例示のみを目的に示され、本開示の範囲を、示される具体的な方法に限定することは何ら意図されていない。示される方法は、パイロット信号および干渉信号を含む受信された信号からデータを回復するためのものである。
【０１６７】
ブロック1410において、方法は、受信された信号からパイロット信号を推定し、初回のパイロット信号推定を生成する。例示的な実施形態では、例えば図13のブロック1304を参照して説明されるように、初回のパイロット信号推定は、当技術分野で知られている初回のパイロット信号推定技術にしたがって生成されうる。
【０１６８】
ブロック1420において、方法は、受信された信号から初回のパイロット信号推定を相殺し、第1の相殺された信号を生成する。例示的な実施形態では、このことは、図13のブロック1306を参照して説明されたような、復調されることになるユーザーのための初回のPICに対応する。
【０１６９】
ブロック1430において、方法は、第1の相殺された信号から干渉信号を推定し、干渉推定を生成する。例示的な実施形態では、干渉信号は、受信された信号に存在する、他のユーザーのための1つまたは複数のパイロット信号でありうる。例示的な実施形態では、干渉信号はまた、例えば本開示による早期復号技術から知られるような、復調されることになるユーザーに関連するトラフィック信号であってよく、または、他のユーザーに関連するトラフィック信号であってよい。
【０１７０】
ブロック1440において、方法は、第1の相殺された信号から干渉推定を相殺し、干渉が相殺された信号を生成する。例示的な実施形態では、このことは、図13のブロック1306を参照して説明されたような、他のユーザーのための初回のPICに対応する。例示的な実施形態では、相殺された干渉推定はまた、復調されることになるユーザーのための相殺されたトラフィック信号であってもよい。
【０１７１】
ブロック1450において、方法は、干渉が相殺された信号からパイロット信号を再推定し、第2のパイロット信号推定を生成する。例示的な実施形態では、このことは、図13のブロック1308を参照して説明されたような、残りのPICのために実行される動作に対応する。例えば、第2のパイロット信号推定は、残りのパイロット信号推定
【０１７２】
【数２１】
0005456165.tif 000022
【０１７３】
に対応しうる。
【０１７４】
ブロック1460において、方法は、受信された信号から第2のパイロット信号推定を用いて導出された信号を復調し、受信された信号からデータを回復する。このことは、例えば、図13のブロック1312において実行される動作に対応しうる。
【０１７５】
本開示のいくつかの例示的な実装形態がcdma2000システムに関して説明されてきたが、開示される技術は、代替的なシステムに容易に適用されうることが理解されよう。図15A〜15Dを参照して本明細書でさらに説明されるのは、本開示の原理が適用されうる、UMTSによる例示的な従来技術の無線ネットワーク運用である。図15A〜15Dは例示のみを目的に示され、本開示の範囲を、UMTSにしたがった無線ネットワーク運用に限定することは意図されないことに留意されたい。
【０１７６】
図15Aは、従来技術の無線ネットワークの例を示す。図15Aにおいて、Node B 110、111、114および無線ネットワークコントローラ141〜144は、「無線ネットワーク」、「RN」、「アクセスネットワーク」、または「AN」と呼ばれるネットワークの一部である。無線ネットワークは、UMTS Terrestrial Radio Access Network(UTRAN)であってよい。UMTS Terrestrial Radio Access Network(UTRAN)は、Node B(または基地局)と、Node Bが含むUMTS無線アクセスネットワークを構成する制御装置(または無線ネットワークコントローラ(RNC))との総称である。UTRANは、リアルタイムの回線交換式のトラフィックと、IPベースのパケット交換式のトラフィックの両方を搬送することができる、3G通信ネットワークである。UTRANは、ユーザー装置(UE)123〜127のために無線インターフェース接続方法を提供する。接続は、UEと、UTRANによる基幹ネットワークとの間に提供される。無線ネットワークは、複数のユーザー装置デバイス123〜127の間でデータパケットを伝送することができる。
【０１７７】
UTRANは、4つのインターフェース、Iu、Uu、IubおよびIurにより、他の機能エンティティに、内部または外部で接続される。UTRANは、Iuと呼ばれる外部のインターフェースを介して、GSM（登録商標）基幹ネットワーク121に接続される。141、142が図15Aに示される無線ネットワークコントローラ(RNC)141〜144(図15Bに示される)は、このインターフェースをサポートする。加えて、RNCは、Iubと名付けられたインターフェースを通じて、Node Bと呼ばれる基地局のセットを管理する。Iurインターフェースは、2つのRNC141、142を互いに接続する。RNC141〜144はIurインターフェースにより接続されるので、UTRANは、基幹ネットワーク121から大部分が自立している。図15Aは、RNC、Node BならびにIuおよびUuインターフェースを用いる通信システムを開示する。Uuはも外部にあり、Node BをUEと接続し、一方Iubは、RNCをNode Bと接続する内部インターフェースである。
【０１７８】
無線ネットワークは、企業イントラネット、インターネット、または上で述べられたような従来の公衆交換電話網のような、無線ネットワークの外部の追加のネットワークにさらに接続されてもよく、各ユーザー装置デバイス123〜127とそのような外部ネットワークとの間でデータパケットを伝送しうる。
【０１７９】
図15Bは、通信ネットワーク100Bの選択されたコンポーネントを示し、通信ネットワーク100Bは、Node B(または基地局またはワイヤレスベーストランシーバ基地局)110、111および114に結合される無線ネットワークコントローラ(RNC)(または基地局コントローラ(BSC))141〜144を含む。Node B 110、111、114は、対応するワイヤレス接続155、167、182、192、193、194を通じて、ユーザー装置(または遠隔局)123〜127と通信する。RNC141〜144は、1つまたは複数のNode Bのために制御機能を提供する。無線ネットワークコントローラ141〜144は、移動通信交換局(MSC)151、152を通じて、公衆交換電話網(PSTN)148に結合される。別の例では、無線ネットワークコントローラ141〜144は、パケットデータサーバノード(「PDSN」)(図示せず)を通じて、パケット交換網(PSN)(図示せず)に結合される。無線ネットワークコントローラ141〜144およびパケットデータサーバノードのような、様々なネットワーク要素の間のデータの相互交換は、任意の数のプロトコル、例えば、インターネットプロトコル(「IP」)、非同期転送モード(「ATM」)プロトコル、T1、E1、フレームリレー、および他のプロトコルを用いて、実施されうる。
【０１８０】
RNCは、複数の役割を果たす。第1に、RNCは、Node Bの使用を試みる新たな移動機またはサービスへの承認を制御することができる。第2に、Node Bから、または基地局から見て、RNCは制御するRNCである。承認を制御することで、移動機が、ネットワークが有する利用可能なものにしたがって、無線リソース(帯域幅および信号/雑音比)を割り当てられることを確実にする。RNCは、Node BのIubのインターフェースが終端するところである。UEまたは移動機から見ると、RNCは、移動機のリンク層通信を終端させる、サービングRNCとして動作する。基幹ネットワークから見ると、サービングRNCは、UEのIuを終端させる。サービングRNCはまた、Iuインターフェースを通じて基幹ネットワークを用いようとする新しい移動機またはサービスに対する、承認を制御する。
【０１８１】
無線インターフェースについて、UMTSは、広帯域符号分割多重接続(またはW-CDMA)として知られる、広帯域スペクトラム拡散モバイル無線インターフェースを用いるのが最も一般的である。W-CDMAは、直接拡散方式符号分割多重接続シグナリング方法(またはCDMA)を用いて、ユーザーを分離する。W-CDMA(広帯域符号分割多重接続)は、モバイル通信の第3世代の規格である。W-CDMAは、GSM（登録商標）(Global System for Mobile Communications)/GPRSという第2世代の規格から発展したものであり、GSM/GPRSは、音声通信とともに限定されたデータ通信の能力を重視したものである。W-CDMAの最初の商用展開は、W-CDMAリリース99と呼ばれる規格のバージョンに基づいている。
【０１８２】
リリース99の仕様は、アップリンクのパケットデータを可能にするために2つの技術を定義する。最も一般的には、データ伝送は、専用チャネル(DCH)またはランダムアクセスチャネル(RACH)のいずれかを用いてサポートされる。しかし、DCHが、パケットデータサービスをサポートするための、主要なチャネルである。各遠隔局123〜127は、直交可変拡散率(OVSF)符号を用いる。当業者により理解されるように、OVSF符号は、個々の通信チャネルを個別に識別するのを容易にする、直交符号である。加えて、ソフトハンドオーバーを用いてマイクロダイバーシティがサポートされ、閉ループ出力制御がDCHについて利用される。
【０１８３】
CDMAシステムでは、送信されたパイロット信号を含む送信されたデータを拡散するために、擬似ランダムノイズ(PN)シーケンスが一般に用いられる。PNシーケンスの単一の値を送信するのにかかる時間はチップとして知られ、チップの変化率はチップレートとして知られる。直接拡散方式CDMAシステムの設計に特有なことは、受信機が、自身のPNシーケンスを、Node B 110、111、114のPNシーケンスに揃えることである。W-CDMA規格で定義されるようないくつかのシステムでは、プライマリスクランブリングコードとして知られる、各々の固有のPNコードを用いて、基地局110、111、114を区別する。W-CDMA規格は、ダウンリンクをスクランブルするための2つのGoldコードシーケンスを定義し、1つは同相成分(I)のためのものであり、もう一方は直交成分(Q)のためのものである。IおよびQのPNシーケンスは、データ変調なしでセル全体に一緒にブロードキャストされる。このブロードキャストは、共通パイロットチャネル(CPICH)と呼ばれる。生成されたPNシーケンスは、38400チップの長さに切り取られる。38400チップの期間は、無線フレームと呼ばれる。各無線フレームは、スロットと呼ばれる15個の等しい区間に分割される。W-CDMAのNode B 110、111、114は、互いに対して同期せずに動作するので、ある基地局110、111、114のフレームタイミングを知っていても、任意の他のNode B 110、111、114のフレームタイミングに変換することはできない。他のNode Bのフレームタイミングを知るために、W-CDMAシステムは、同期チャネルおよびセル検索技術を用いる。
【０１８４】
3GPPリリース5および以降のリリースは、High-Speed Downlink Packet Access(HSDPA)をサポートする。3GPPリリース6および以降のリリースは、High-Speed Uplink Packet Access(HSUPA)をサポートする。HSDPAおよびHSUPAは、ダウンリンクおよびアップリンクでの高速パケットデータ伝送をそれぞれ可能にする、チャネルおよび手順のセットである。リリース7のHSPA+は、データレートを向上させるために3つのことを強化する。第1に、HSPA+は、ダウンリンク上での2×2のMIMOのサポートを開始した。MIMOにより、ダウンリンク上でサポートされるピークのデータレートは28Mbpsになる。第2に、高次の変調がダウンリンクに導入される。ダウンリンク上で64QAMを用いることで、21Mbpsのピークのデータレートが可能になる。第3に、高次の変調がアップリンクに導入される。アップリンク上で16QAMを用いることで、11Mbpsのピークのデータレートが可能になる。
【０１８５】
HSUPAでは、Node B 110、111、114は、いくつかのユーザー装置デバイス123〜127が、同時にある出力レベルで送信するのを可能にする。これらの許可は、リソースを短期的に(数十msごとに)割り当てる、高速スケジューリングアルゴリズムを用いて、ユーザーに割り当てられる。HSUPAの高速スケジューリングは、パケットデータの集中する性質によく適している。パケットデータが多い期間は、ユーザーは利用可能なリソースのうちの大きな割合を得ることができ、パケットデータが少ない期間は、帯域幅をほとんどまたは全く得ない。
【０１８６】
3GPPリリース5のHSDPAでは、アクセスネットワークのベーストランシーバ基地局110、111、114は、High Speed Downlink Shared Channel(HS-DSCH)で、ダウンリンクのペイロードデータをユーザー装置デバイス123〜127に送信し、High Speed Shared Control Channel(HS-SCCH)で、ダウンリンクデータに関連する制御情報を送信する。これらは、データ伝送に用いられる、256個の直交可変拡散率(OVSFまたはWalsh)符号である。HSDPAシステムでは、これらの符号は、携帯電話(音声)に通常用いられるリリース1999(レガシーシステム)符号と、データサービスに用いられるHSDPA符号とに分割される。各伝送時間間隔(TTI)に対して、HSDPA対応のユーザー装置デバイス123〜127に送信される専用の制御情報は、符号空間内のどの符号が、ダウンリンクのペイロードデータをデバイスに送信するのに使われるかということと、ダウンリンクのペイロードデータを送信するのに用いられる変調とを、デバイスに対して示す。
【０１８７】
HSDPAの動作では、ユーザー装置デバイス123〜127へのダウンリンク伝送は、15個の利用可能なHSDPAのOVSF符号を用いて、異なる伝送時間間隔でスケジューリングされうる。所与のTTIに対して、各ユーザー装置デバイス123〜127は、TTIの間にデバイスに割り当てられるダウンリンクの帯域幅に応じて、15個のHSDPA符号のうちの1つまたは複数を用いている可能性がある。既に言及されたように、各TTIに対して、制御情報は、符号空間内のどの符号がダウンリンクのペイロードデータ(無線ネットワークの制御データ以外のデータ)をデバイスに送信するのに使われるかということと、ダウンリンクのペイロードデータを送信するのに用いられる変調とを、ユーザー装置デバイス123〜127に対して示す。
【０１８８】
MIMOシステムでは、送信アンテナから受信アンテナまで、N(送信アンテナの数)×M(受信アンテナの数)個の信号経路があり、これらの経路上の信号は同一ではない。MIMOは、複数のデータ伝送パイプを作成する。パイプは、空間時間領域で直交している。パイプの数は、システムのランクに等しい。これらのパイプは、空間時間領域で直交しているので、互いに対する干渉をほとんど生み出さない。データパイプは、N×M個の経路上の信号を適切に組み合わせることによる、適切なデジタル信号処理で実現する。伝送パイプは、アンテナ伝送チェーンに対応せず、あらゆる1つの特定の伝送経路にも対応しないことに、留意されたい。
【０１８９】
通信システムは、単一の搬送波周波数または複数の搬送波周波数を用いることができる。各リンクは、異なる数の搬送波周波数を組み込みうる。さらに、接続端末123〜127は、ワイヤレスチャネルまたは有線チャネルを通じて、例えば光ファイバまたは同軸ケーブルを用いて通信する、任意のデータデバイスであってよい。接続端末123〜127は、PCカード、コンパクトフラッシュ（登録商標）、外部もしくは内部のモデム、またはワイヤレスもしくは有線の電話を含むがこれらには限定されない、いくつかの種類のデバイスのいずれであってもよい。接続端末123〜127は、ユーザー装置(UE)、遠隔局、移動局または加入者局としても知られている。また、UE123〜127は、移動式であっても固定式であってもよい。
【０１９０】
1つまたは複数のNode B 110、111、114とのアクティブなトラフィックチャネル接続を確立したユーザー装置123〜127は、アクティブなユーザー装置123〜17と呼ばれ、トラフィック状態にあるといわれる。1つまたは複数のNode B 110、111、114とのアクティブなトラフィックチャネル接続を確立する処理中のユーザー装置123〜127は、接続準備状態にあるといわれる。ユーザー装置123〜127は、ワイヤレスチャネルまたは有線チャネルを通じて、例えば、光ファイバまたは同軸ケーブルを用いて通信する、任意のデータデバイスであってよい。ユーザー装置123〜127が信号をNode B 110、111、114に送信する通信リンクは、アップリンクと呼ばれる。Node B 110、111、114が信号をユーザー装置123〜127に送信する通信リンクは、ダウンリンクと呼ばれる。
【０１９１】
図15Cが本明細書で以下に詳細に示され、具体的には、Node B 110、111、114および無線ネットワークコントローラ141〜144が、パケットネットワークインターフェース146とインターフェースをとる。(図15Cでは、簡単にするために1つのNode B 110、111、114のみが示されることに留意されたい。)Node B 110、111、114および無線ネットワークコントローラ141〜144は、1つまたは複数のNode B 110、111、114および無線ネットワークコントローラ141〜144を囲む点線として、図15Aおよび図15Cに示されるように、無線ネットワークサーバ(RNS)66の一部であってよい。送信されることになるデータの関連する品質は、Node B 110、111、114のデータキュー172から取り出され、データキュー172に関連するユーザー装置123〜127(図15Cには示されない)に送信するために、チャネル要素168に与えられる。
【０１９２】
無線ネットワークコントローラ141〜144は、移動通信交換局151、152を通じて、公衆交換電話網(PSTN)148とインターフェースをとる。また、無線ネットワークコントローラ141〜144は、通信システム100BのノードB 110、111、114とインターフェースをとる。加えて、無線ネットワークコントローラ141〜144は、パケットネットワークインターフェース146とインターフェースをとる。無線ネットワークコントローラ141〜144は、通信システム中のユーザー装置123〜127と、パケットネットワークインターフェース146およびPSTN148に接続された他のユーザーとの間の通信を調整する。PSTN148は、標準的な電話網(図15Cには示されない)を通じて、ユーザーとのインターフェースをとる。
【０１９３】
無線ネットワークコントローラ141〜144は多くの選択器要素136を含むが、簡単にするために1つのみが図15Cには示されている。各選択器要素136は、1つまたは複数のNode B 110、111、114と、1つの遠隔局123〜127(図示せず)との間の通信を制御するように割り当てられる。選択器要素136が所与のユーザー装置123〜127に割り当てられていない場合、呼び出し制御プロセッサ140は、ユーザー装置123〜127をページングしなければならないことを知らされる。呼び出し制御プロセッサ140は次いで、Node B 110、111、114に、ユーザー装置123〜127をページングするように指示する。
【０１９４】
データソース122はデータの品質を含み、データの品質は、所与のユーザー装置123〜127に送信されることになる。データソース122は、パケットネットワークインターフェース146にデータを提供する。パケットネットワークインターフェース146はデータを受信して、データを選択器要素136にルーティングする。選択器要素136は次いで、目標のユーザー装置123〜127と通信しているNode B 110、111、114に、データを送信する。例示的な実施形態では、各Node B 110、111、114は、データキュー172を保持し、データキューは、ユーザー装置123〜127に送信されることになるデータを保存する。
【０１９５】
各データパケットについて、チャネル要素168が必要な制御フィールドを挿入する。例示的な実施形態では、チャネル要素168は、巡回冗長検査、すなわちCRCと、データパケットおよび制御フィールドの符号化を実行し、符号のテールビットのセットを挿入する。データパケット、制御フィールド、CRCパリティビット、および符号のテールビットは、フォーマットされたパケットを含む。例示的な実施形態では、次いで、チャネル要素168がフォーマットされたパケットを符号化し、符号化されたパケット内でシンボルをインターリーブする(または再び並べ替える)。例示的な実施形態では、インターリーブされたパケットはWalsh符号によりカバーされ、短PNI符号および短PNQ符号により拡散される。拡散されたデータは、信号を直交変調し、フィルタリングし、増幅する、RFユニット170に与えられる。ダウンリンク信号は、ダウンリンクへのアンテナを通じて無線により送信される。
【０１９６】
ユーザー装置123〜127において、ダウンリンク信号はアンテナにより受信され、受信機にルーティングされる。受信機は、信号をフィルタリングし、増幅し、直交復調し、量子化する。デジタル化された信号は復調器に与えられ、短PNI符号および短PNQ符号により逆拡散され、Walshカバーによりデカバー(decover)される。復調されたデータは、Node B 110、111、114において行われた信号処理機能の逆の処理、具体的には、デインターリーブ、復号、およびCRC確認機能を実行する、復号器に与えられる。復号されたデータは、データ受信装置に与えられる。
【０１９７】
図15Dは、ユーザー装置(UE)123〜127が、送信回路164(PA108を含む)と、受信回路109と、出力コントローラ107と、復号プロセッサ158と、処理ユニット103と、メモリ116とを含む、UE123〜127の実施形態を示す。
【０１９８】
処理ユニット103は、UE123〜127の動作を制御する。処理ユニット103は、CPUとも呼ばれうる。メモリ116は、読み取り専用メモリ(ROM)およびランダムアクセスメモリ(RAM)の両方を含んでもよく、処理ユニット103に命令およびデータを提供する。メモリ116の一部は、非揮発性ランダムアクセスメモリ(NVRAM)も含みうる。
【０１９９】
UE123〜127は、携帯電話のようなワイヤレス通信デバイスにおいて具現化することができ、UE123〜127と離れた場所との間の音声通信のようなデータの送信および受信を可能にするための送信回路164および受信回路109を格納する、筐体も含みうる。送信回路164および受信回路109は、アンテナ118に結合されうる。
【０２００】
UE123〜127の様々なコンポーネントが、電源バス、制御信号バス、状態信号バスをデータバスに加えて含みうる、バスシステム130により一緒に結合される。しかし、明瞭にするために、図15Dでは様々なバスはバスシステム130として示されている。UE123〜127はまた、処理信号中で用いるための処理ユニット103も含みうる。出力コントローラ107、復号プロセッサ158、および電力増幅器108も示されている。
【０２０１】
論じられる方法のステップは、図15Cに示されるように、Node B 110、111、114のメモリ161内に存在するソフトウェアまたはファームウェア43の形態で、命令としても保存されうる。これらの命令は、図15CのNode B 110、111、114の制御ユニット162によって実行されうる。あるいは、または併せて、論じられる方法のステップは、UE123〜127のメモリ116内に存在するソフトウェアまたはファームウェア42の形態で、命令として保存されうる。これらの命令は、図15DのUE123〜127の処理ユニット103によって実行されうる。
【０２０２】
情報および信号は、様々な異なる技術および技法のいずれを用いても表すことができることを、当業者は理解するであろう。例えば、上の説明全体で言及されることがあるデータ、指示、命令、情報、信号、ビット、シンボル、およびチップは、電圧、電流、電磁波、磁場または磁性粒子、光場または光子、またはこれらの任意の組み合わせで表すことができる。
【０２０３】
本明細書で開示される例示的な実施形態に関連して説明される、様々な例示的な論理ブロック、モジュール、回路、およびアルゴリズムステップは、電子的ハードウェア、コンピュータソフトウェア、またはこれら両方の組み合わせとして実装されうることが、当業者にはさらに理解されよう。ハードウェアとソフトウェアのこの互換性を明確に示すために、様々な例示的なコンポーネント、ブロック、モジュール、回路、およびステップが、一般にそれらの機能に関して上で説明されてきた。そのような機能がハードウェアで実装されるかソフトウェア実装されるかは、具体的な用途と、システム全体に課される設計制約とにより決まる。当業者は、それぞれの具体的な用途に対して様々な方法で説明された機能を実装することができるが、そのような実装についての判断は、本発明の例示的な実施形態の範囲からの逸脱を引き起こすものと解釈されるべきではない。
【０２０４】
本明細書で開示される例示的な実施形態に関連して説明される、様々な例示的な論理ブロック、モジュール、および回路は、汎用プロセッサ、デジタルシグナルプロセッサ(DSP)、特定用途向け集積回路(ASIC)、フィールドプログラマブルゲートアレイ(FPGA)もしくは他のプログラム可能な論理デバイス、個別のゲートもしくはトランジスタ論理回路、個別のハードウェアコンポーネント、または、本明細書で説明された機能を実行するように設計される、任意の上記の組み合わせにより実装または実行されうる。汎用プロセッサはマイクロプロセッサであってよいが、代替的にはプロセッサは、任意の従来のプロセッサ、コントローラ、マイクロコントローラ、またはステートマシンであってもよい。プロセッサは、コンピューティングデバイスの組み合わせ、例えば、DSPとマイクロプロセッサの組み合わせ、複数のマイクロプロセッサ、DSPコアに接続される1つまたは複数のマイクロプロセッサ、または任意の他のそのような構成としても、実装されうる。
【０２０５】
本明細書で開示される例示的な実施形態とともに説明される方法またはアルゴリズムのステップは、ハードウェアで、プロセッサにより実行されるソフトウェアモジュールで、またはこれら2つの組み合わせで、直接具現化されうる。ソフトウェアモジュールは、ランダムアクセスメモリ(RAM)、フラッシュメモリ、読み取り専用メモリ(ROM)、電気的にプログラム可能なROM(EPROM)、電気的に消去可能なプログラム可能なROM(EEPROM)、レジスタ、ハードディスク、取り外し可能ディスク、CD-ROM、または、当技術分野で知られている任意の他の形態の記憶媒体に存在しうる。例示的な記憶媒体は、プロセッサが記憶媒体から情報を読み取れるように、または記憶媒体に情報を書き込めるように、プロセッサに結合される。代替形態では、記憶媒体は、プロセッサと一体であってよい。プロセッサおよび記憶媒体は、ASIC内に存在しうる。ASICは、ユーザー端末に存在しうる。代替形態では、プロセッサおよび記憶媒体は、ユーザー端末中の個別のコンポーネントとして存在しうる。
【０２０６】
1つまたは複数の例示的な実施形態では、説明される機能は、ハードウェア、ソフトウェア、ファームウェア、またはこれらの任意の組み合わせで実装されうる。ソフトウェアで実装される場合、機能は、コンピュータ可読媒体に1つまたは複数の命令もしくはコードとして格納または送信されうる。コンピュータ可読媒体は、コンピュータプログラムをある場所から別の場所に移送しやすくする任意の媒体を含む、コンピュータ記憶媒体と通信媒体の両方を含む。記憶媒体は、コンピュータによりアクセスされうる任意の利用可能な媒体であってよい。限定ではなく例として、そのようなコンピュータ可読媒体は、RAM、ROM、EEPROM、CD-ROMまたは他の光学ディスク記憶装置、磁気ディスク記憶装置もしくは他の磁気記憶デバイス、または、所望のプログラムコードを命令もしくはデータ構造の形態で担持するのに使用でき、コンピュータによりアクセスされうる任意の他の媒体を含みうる。また、任意の接続が適切にコンピュータ可読媒体と呼ばれる。例えば、ソフトウェアが、同軸ケーブル、光ファイバケーブル、ツイストペア、デジタル加入者線(DSL)、または、赤外線、無線およびマイクロ波のようなワイヤレス技術を用いて、ウェブサイト、サーバ、または他の遠隔のソースから送信される場合、同軸ケーブル、光ファイバケーブル、ツイストペア、DSL、または、赤外線、無線およびマイクロ波のようなワイヤレス技術は、媒体の定義に含まれる。ディスク(disk)およびディスク(disc)は、本明細書で用いられる場合、コンパクトディスク(CD)、レーザーディスク（登録商標）、光ディスク、デジタル多目的ディスク(DVD)、フレキシブルディスクおよびBlu-rayディスクを含み、ディスク(disk)は通常データを磁気的に再生し、ディスク(disc)はレーザーによりデータを光学的に再生する。上記の組み合わせも、コンピュータ可読媒体の範囲に含まれるべきである。
【０２０７】
開示される例示的な実施形態の前の説明は、当業者が本発明を実現または使用できるようにするために提供される。これらの例示的な実施形態への様々な修正が、当業者には容易に明らかであり、本明細書で定義される一般的な原理は、本発明の趣旨および範囲から逸脱することなく、他の例示的な実施形態に適用されうる。したがって、本発明は、本明細書に示される例示的な実施形態に限定されることは意図されず、本明細書で開示される原理および新規な特徴と矛盾しない最大の範囲を認められるべきである。本発明は、以下の特許請求の範囲にしたがうことを除き、限定されることはない。
【符号の説明】
【０２０８】
102  セル
103  処理ユニット
106  接続端末
107  出力コントローラ
108  電力増幅器
109  受信回路
110  Node B
116  メモリ
118  アンテナ
121  基幹ネットワーク
122  データソース
123  ユーザー装置
130  バスシステム
136  選択器要素
140  呼び出し制御プロセッサ
141  無線ネットワークコントローラ
146  パケットネットワークインターフェース
148  公衆交換電話網
151  移動通信交換局
158  復号プロセッサ
160  基地局
162  制御ユニット
164  送信回路
168  チャネル要素
170  RFユニット
172  データキュー
200  データソース
202  FQI/符号器
204  インターリーバ
205  フレームフォーマットブロック
206  変調器
208  ベースバンドからRFへの変換ブロック
400  受信機
401  アンテナ
401a  信号r
404  復調器
406  デインターリーバ
408  復号器
410  データ受信装置
412  受信されたシンボルのバッファ
414  レイク受信機
416  復調されたシンボルのバッファ
460  干渉再構築ブロック
461  トラフィック相殺ブロック
462  符号器
464  インターリーバ
465  フレームフォーマットブロック
466  変調器
468  フィルタ
610a  後方向のIC
610b  前方向のIC
810A  出力制御設定値計算モジュール
810B  受信機
820A  出力制御命令生成器
820B  出力制御命令処理モジュール
830A RF伝送モジュール
830B  送信出力調整ブロック
840A  デュプレクサ
840B  送信機
912  名目上のフレーム長
913  名目上の終点
914  実質的なフレーム長
915  実質的な終点
1120  初回のおよび残りのパイロット信号推定/再構築ブロック
1130  パイロットメモリ
1270.n  チャネルnの推定ブロック
1272.n  チャネル推定
【図１】
0005456165.tif 000023
【図２】
0005456165.tif 000024
【図２Ａ】
0005456165.tif 000025
【図３】
0005456165.tif 000026
【図４】
0005456165.tif 000027
【図５】
0005456165.tif 000028
【図６】
0005456165.tif 000029
【図７】
0005456165.tif 000030
【図８】
0005456165.tif 000031
【図８Ａ】
0005456165.tif 000032
【図８Ｂ】
0005456165.tif 000033
【図９】
0005456165.tif 000034
【図１０】
0005456165.tif 000035
【図１１】
0005456165.tif 000036
【図１２】
0005456165.tif 000037
【図１２Ａ】
0005456165.tif 000038
【図１３】
0005456165.tif 000039
【図１４】
0005456165.tif 000040
【図１５Ａ】
0005456165.tif 000041
【図１５Ｂ】
0005456165.tif 000042
【図１５Ｃ】
0005456165.tif 000043
【図１５Ｄ】
0005456165.tif 000044